(57)【要約】金融面での意思決定システムは、任意の売買可能な証券市場のための買い圧力および売り圧力のリアルタイム計算を提供する。さらに、それは、買い圧力と売り圧力のリアルタイムの視覚的な同時のプロットおよびチャートを提供する。さらに、システムは、自動的に検出された市場動向変動に基づいた売買インジケータおよび専門家の解説を自動的に示す。システムは、リアルタイムにおいて、買いまたは売りなどのような提案されたトレードする行為の複数の確認を識別するために複数の時間枠内の市場動向および変動を自動的に同時に解析する。システムはまた訓練資料、概念を教えるために必要な方法および新規のユーザにとって目的の達成の可能性を改善する用法の方法を包含する。【選択図】  図４
2009509247.tif 000002
【特許請求の範囲】
【請求項１】
少なくとも１人トレーダーによって、少なくとも１つの売買可能な証券の売買と関係する意志決定を支援することに関係するシステムであって、
ａ）当該少なくとも１つの売買可能な証券に関連する歴史上の時間に関連する取引データを受信するステップと、
ｂ）当該歴史上の時間に関連する取引データを時間枠の少なくとも１つの複数に用いて、当該少なくとも１つの売買可能な証券を売る歴史上の集合的な要求を表わす少なくとも１つの第１の時間に関連する値を、少なくとも第１の計算として計算するステップと、
ｃ）少なくとも１つの第２の計算として、当該時間枠の少なくとも１つの複数のために当該歴史上の時間に関連する取引データを用いて、当該少なくとも１つの売買可能な証券を買うために歴史上の集合的な要求を表わす時間に関連する少なくとも１つの第２の値を計算するステップと、
ｄ）当該少なくとも１つの時間枠のために時間枠の少なくとも１つの複数を売る当該歴史上の集合的な要求と買う当該歴史上の集合的な要求との間で、少なくとも１つの「大小関係」の第１の決定をする、当該少なくとも１つの売買可能な証券を売る当該の歴史上の集合的な要求と、当該少なくとも１つの売買可能な証券を買う当該歴史上の集合的な要求を比較するステップと、
ｅ）当該第１の決定から少なくとも１つの前の時間枠の当該「大小関係」の第２の決定と比較して、当該第１の決定と当該第２の決定との間の当該「大小関係」の任意のリバーサルを識別するステップと、
ｆ）当該任意のリバーサルの当該少なくとも１人のトレーダーを通知するステップとを含み、
ｇ）当該通知することは、当該１人のトレーダーによる当該意志決定を最も支援するために用いられてもよいこと
を特徴とするシステム。
【請求項２】
ａ）実質的にリアルタイムの必要な計算の実行のために少なくとも１つのコンピュータ・ベースのプログラムを利用するステップと、
ｂ）実質的にリアルタイムで当該少なくとも１人のトレーダーとの通信のための当該少なくとも１つのコンピュータ・ベースのプログラムを利用するステップと
をさらに含む請求項１に記載のシステム。
【請求項３】
ａ）当該少なくとも１つの時間枠のための当該少なくとも１つの第１の時間に関連する値の少なくとも１つの第１の図形表現を生成するステップと、
ｂ）当該少なくとも１つの時間枠のための当該少なくとも１つの第２の時間に関連する値の少なくとも１つの第２の図形表現を生成するステップとをさらに含み、
ｃ）当該少なくとも１つの第１の図形表現および当該少なくとも１つの第２の図形表現は、比較分析に関連する少なくとも１つのシステムを提供する少なくとも１つの比較分析チャートの中で共同で示されること
を特徴とする請求項２に記載のシステム。
【請求項４】
ａ）当該少なくとも１つの時間枠のための時間に関連する少なくとも１つの第３の値を計算するステップと、
ｂ）当該少なくとも時間に関連する１つの第３の値は、当該少なくとも１つの時間枠のための当該少なくとも１つの売買可能な証券に払われた少なくとも１つの安値に基づき、
ｃ）当該少なくとも１つの１時間枠のための少なくとも１つの第４の時間に関連する値を計算するステップと、
ｄ）当該少なくとも時間に関連する１つの第４の値は、当該少なくとも１つの時間枠のための当該少なくとも１つの売買可能な証券に払われた少なくとも１つの高値に基づき、
ｅ）当該少なくとも１つの時間枠のための当該少なくとも１つの第３の時間に関連する値の少なくとも１つの第３の図形表現を生成するするステップと、
ｆ）当該少なくとも１つの時間枠のための当該少なくとも１つの第４の時間に関連する値の少なくとも１つの第４の図形表現を生成するするステップとをさらに含み、
ｇ）当該少なくとも１つの第３の図形表現および当該少なくとも１つの第４の図形表現は、各々当該少なくとも１つの比較分析チャート上の当該少なくとも１つの第１の図形表現および当該少なくとも１つの第２の図形表現で共同で提供されること
を特徴とする請求項３に記載のシステム。
【請求項５】
ａ）当該少なくとも１つの時間枠のための当該少なくとも１つの売買可能な証券の変動率を表わす少なくとも１つの第５の時間に関連する値を計算するステップと、
ｂ）当該少なくとも１つの第５の時間に関連する値は、当該少なくとも１つの時間枠のための当該少なくとも１つの売買可能な証券に支払われた値の少なくとも１つの範囲に基づき、
ｃ）当該少なくとも１つの時間枠のための当該少なくとも１つの第５の時間に関連する値の少なくとも１つの第５の図形表現を生成するステップと、
ｄ）少なくとも１つの変動率チャート内に当該少なくとも１つの第５の図形表現を提示するステップと、
ｅ）当該少なくとも１つの変動率チャートを当該少なくとも１つの比較分析チャートをと共に提示するステップと
をさらに含む請求項２に記載のシステム。
【請求項６】
当該少なくとも１つの関連する歴史上の取引データは少なくとも
ａ）当該少なくとも１つの時間枠のための当該少なくとも１つの売買可能な証券のための高値と、
ｂ）当該少なくとも１つの時間枠のための当該少なくとも１つの売買可能な証券のための安値と、
ｃ）当該少なくとも１つの時間枠のための当該少なくとも１つの売買可能な証券のための始値と、
ｄ）当該少なくとも１つの時間枠のための当該少なくとも１つの売買可能な証券のための終値と
を含む請求項２に記載のシステム。
【請求項７】
ａ）当該少なくとも１つの第１の時間に関連する値は、当該少なくとも１つの時間枠のための当該少なくとも１つの売買可能な証券のために少なくとも当該終値を用いる当該少なくとも１つの第１の計算に基づき、
ｂ）当該少なくとも１つの第２の時間に関連する値は、当該少なくとも１つの時間枠のための当該少なくとも１つの売買可能な証券のために少なくとも当該終値を用いる当該少なくとも１つの第２の計算に基づくこと
を特徴とする請求項６に記載のシステム。
【請求項８】
少なくとも１セットの買い／売りインジケータは、
ａ）少なくとも１つの売りインジケータと、
ｂ）少なくとも１つの買いインジケータと
を含む請求項３に記載のシステム。
【請求項９】
当該任意のリバーサルの当該少なくとも１人のトレーダーを通知するステップは、
ａ）当該少なくとも１つの第１の時間に関連する値が当該少なくとも１つの第２の時間に関連する値より大きい場合、当該少なくとも１つの比較分析チャート上に当該少なくとも１つの売りインジケータを提示するステップと、
ｂ）当該少なくとも１つの第２の時間に関連する値が当該少なくとも１つの時間枠のための当該少なくとも１つの第１の時間に関連する値より大きい場合、当該少なくとも１つの比較分析チャート上に当該少なくとも１つの買いインジケータを提示するステップと
を含む請求項８に記載のシステム。
【請求項１０】
当該時間枠の少なくとも１つの複数は、少なくとも１分から少なくとも１年までの互いに各々の実質的に異なっている時間長の離散的な期間を含むことを特徴とする請求項２に記載のシステム。
【請求項１１】
ａ）時間枠の少なくとも１つの複数と平行して当該少なくとも２つの時間枠を評価するステップと、
ｂ）実質的にリアルタイムで、当該時間枠信号の少なくとも１つの複数の各時間枠内で、少なくとも相場が弱気の動向も相場が強気の動向も、任意の歴史上の時間に関連する取引動向を計算するステップと、
ｃ）当該各時間枠における当該取引動向の各当該計算と、当該各時間枠より以前の少なくとも１つの時間枠における少なくとも１つの取引動向とを比較するステップと、
ｄ）当該取引動向（相場が弱気に対して相場が強気）の変動を含む任意の当該比較の当該少なくとも１人のトレーダーを通知するステップと
をさらに含む請求項１０に記載のシステム。
【請求項１２】
ａ）各当該時間枠と比較された当該前の各時間枠は、各当該時間枠として少なくとも１つの時間に隣接した等しい長さの時間枠を含むこと
を特徴とする請求項１１に記載のシステム。
【請求項１３】
ａ）当該少なくとも１つの売買可能な証券を売る当該歴史上の集合的な要求と、当該時間枠の少なくとも１つの複数の当該期間の当該少なくとも１つの複数のための少なくとも１つの「大小関係」を判定する少なくとも１つの売買可能な証券を買う当該歴史上の集合的な要求とを、自動的に比較するステップと、
ｂ）当該時間枠の少なくとも１つの複数のための当該期間の個々の当該少なくとも１つの複数のために当該比較の当該結果の当該少なくとも１人のトレーダーを自動的に通知するステップと、
ｃ）当該「大小関係」の当該少なくとも１つのリバーサルが少なくとも２つの当該離散的な期間内に生じる場合、当該少なくとも１人のトレーダーを自動的に通知するステップと
をさらに含む請求項１０に記載のシステム。
【請求項１４】
当該「大小関係」の当該少なくとも１つのリバーサルが少なくとも３つの当該離散的な期間内に生じる場合、当該に少なくとも１人のトレーダーを自動的に通知するステップをさらに含む請求項１３に記載のシステム。
【請求項１５】
当該「大きな小さい関係」の当該少なくとも１つのリバーサルが少なくとも４つの当該離散的な期間内に生じる場合、当該少なくとも１人のトレーダーを自動的に通知するステップをさらに含む請求項１３に記載のシステム。
【請求項１６】
ａ）少なくとも１つの他のチャートと共同で提示するための当該「大小関係」の当該少なくとも１つのリバーサルの発生を表わす少なくとも１つの第１のシンボルを生成するステップと、
ｂ）当該少なくとも１つの他のチャートと共同で提示するための当該「大小関係」を表わす少なくとも１つの第２のシンボルを生成するステップと、
ｃ）当該少なくとも１つの他のチャートと共同で提示するための少なくとも３つの当該離散的な期間内の当該「大小関係」の少なくとも１つのリバーサルの発生を表わす当該少なくとも１つの第３のシンボルを生成するステップと、
ｄ）当該少なくとも１つの他のチャートと共同で提示するための少なくとも４つの当該離散的な期間の当該「大小関係」の少なくとも１つのリバーサルの発生を表わす当該少なくとも１つの第４のシンボルを生成するステップと
をさら含む請求項１３に記載のシステム。
【請求項１７】
少なくとも１人トレーダーによって、少なくとも１つの売買可能な証券の売買に関連する意志決定を支援することに関連する実時間解析に関連するコンピュータプログラムシステムであって、
ａ）実質的にリアルタイムで、当該少なくとも１つの売買可能な証券に関連する歴史上の時間関連する取引データを電子的に受信するステップと、
ｂ）実質的にリアルタイムで、当該歴史上の時間に関連する取引データを時間枠の少なくとも１つの複数に用いて、当該少なくとも１つの売買可能な証券を売る歴史上の集合的な要求を表わす少なくとも１つの第１の時間に関連する値を、少なくとも第１の計算として計算するステップと、
ｃ）実質的にリアルタイムで、少なくとも１つの第２の計算として、当該時間枠の少なくとも１つの複数のために当該歴史上の時間に関連する取引データを用いて、当該少なくとも１つの売買可能な証券を買うために歴史上の集合的な要求を表わす時間に関連する少なくとも１つの第２の値を計算するステップと、
ｄ）実質的にリアルタイムで、当該少なくとも１つの時間枠のために時間枠の少なくとも１つの複数を売る当該歴史上の集合的な要求と買う当該歴史上の集合的な要求との間で、少なくとも１つの「大小関係」の第１の決定をする、当該少なくとも１つの売買可能な証券を売る当該の歴史上の集合的な要求と、当該少なくとも１つの売買可能な証券を買う当該歴史上の集合的な要求を比較するステップと、
ｅ）当該第１の決定から少なくとも１つの前の時間枠の当該「大小関係」の第２の決定と比較して、当該第１の決定と当該第２の決定との間の当該「大小関係」の任意のリバーサルを識別するステップと、
ｉ）当該少なくとも１つのリバーサルは、当該少なくとも１つの売買可能な証券のための少なくとも１セットの買い／売りインジケータを含み、
ｆ）実質的にリアルタイムで、当該少なくとも１セットの買い／売りインジケータを当該少なくとも１人のトレーダーに表示するステップと
を含むコンピュータプログラムシステム。
【請求項１８】
ａ）当該少なくとも１つの時間枠のための当該少なくとも１つの第１の時間に関連する値の少なくとも１つの第１の図形表現を生成するステップと、
ｂ）当該少なくとも１つの時間枠のための当該少なくとも１つの第２の時間に関連する値の少なくとも１つの第２の図形表現を生成するステップと
ｃ）少なくとも１つの比較分析チャート内の当該少なくとも１つの第１の図形表現および当該少なくとも１つの第２の図形表現を共同で表示するステップと
をさらに含む請求項１７に記載のコンピュータプログラムシステム。
【請求項１９】
ａ）当該少なくとも１つの時間枠のための時間に関連する少なくとも１つの第３の値を計算するステップと、
ｂ）当該少なくとも時間に関連する１つの第３の値は、当該少なくとも１つの時間枠のための当該少なくとも１つの売買可能な証券に払われた少なくとも１つの安値に基づき、
ｃ）当該少なくとも１つの１時間枠のための少なくとも１つの第４の時間に関連する値を計算するステップと、
ｄ）当該少なくとも時間に関連する１つの第４の値は、当該少なくとも１つの時間枠のための当該少なくとも１つの売買可能な証券に払われた少なくとも１つの高値に基づき、
ｅ）当該少なくとも１つの時間枠のための当該少なくとも１つの第３の時間に関連する値の少なくとも１つの第３の図形表現を生成するステップと、
ｆ）当該少なくとも１つの時間枠のための当該少なくとも１つの第４の時間に関連する値の少なくとも１つの第４の図形表現を生成するステップと、
ｇ）当該少なくとも１つの第３の図形表現および当該少なくとも１つの第４の図形表現を、当該少なくとも１つの比較分析チャート上の当該少なくとも１つの第１の図形表現および当該少なくとも１つの第２の図形表現と共同で表示するステップと
をさらに含む請求項１８に記載のコンピュータプログラムシステム。
【請求項２０】
ａ）当該少なくとも１つの時間枠のための当該少なくとも１つの売買可能な証券の変動率を表わす少なくとも１つの第５の時間に関連する値を計算するステップと、
ｂ）当該少なくとも１つの第５の時間に関連する値は、当該少なくとも１つの時間枠のための当該少なくとも１つの売買可能な証券に支払われた値の少なくとも１つの範囲に基づき、
ｃ）当該少なくとも１つの時間枠のための当該少なくとも１つの第５の時間に関連する値の少なくとも１つの第５の図形表現を生成するステップと、
ｄ）少なくとも１つの変動率チャート内に当該少なくとも１つの第５の図形表現を表示するステップと、
ｅ）当該少なくとも１つの変動率チャートを当該少なくとも１つの比較分析チャートをと共に表示するステップと
をさらに含む請求項１７に記載のコンピュータプログラムシステム。
【請求項２１】
当該少なくとも１つの関連する歴史上の取引データは少なくとも、
ａ）当該少なくとも１つの時間枠のための当該少なくとも１つの売買可能な証券のための高値と、
ｂ）当該少なくとも１つの時間枠のための当該少なくとも１つの売買可能な証券のための安値と、
ｃ）当該少なくとも１つの時間枠のための当該少なくとも１つの売買可能な証券のための始値と、
ｄ）当該少なくとも１つの時間枠のための当該少なくとも１つの売買可能な証券のための終値と
を含む請求項１７に記載のコンピュータプログラムシステム。
【請求項２２】
ａ）当該少なくとも１つの第１の時間に関連する値は、当該少なくとも１つの時間枠のための当該少なくとも１つの売買可能な証券のために少なくとも当該終値を用いる当該少なくとも１つの第１の計算に基づき、
ｂ）当該少なくとも１つの第２の時間に関連する値は、当該少なくとも１つの時間枠のための当該少なくとも１つの売買可能な証券のために少なくとも当該終値を用いる当該少なくとも１つの第２の計算に基づくこと
を特徴とする請求項１７に記載のコンピュータプログラムシステム。
【請求項２３】
当該少なくとも１セットの買い／売りインジケータは、
ａ）少なくとも１つの売りインジケータと、
ｂ）少なくとも１つの買いインジケータと
を含む請求項１８に記載のコンピュータプログラムシステム。
【請求項２４】
ａ）当該少なくとも１つの第１の時間に関連する値が当該少なくとも１つの第２の時間に関連する値より大きい場合、当該少なくとも１つの比較分析チャート上に当該少なくとも１つの売りインジケータを表示するステップと、
ｂ）当該少なくとも１つの第２の時間に関連する値が当該少なくとも１つの時間枠のための当該少なくとも１つの第１の時間に関連する値より大きい場合、当該少なくとも１つの比較分析チャート上に当該少なくとも１つの買いインジケータを表示するステップと
を含む請求項２３に記載のコンピュータプログラムシステム。
【請求項２５】
当該時間枠の少なくとも１つの複数は、少なくとも１分から少なくとも１年までの互いに各々の実質的に異なっている時間長の離散的な期間を含むことを特徴とする請求項１７に記載のコンピュータプログラムシステム。
【請求項２６】
ａ）時間枠の少なくとも１つの複数と平行して当該少なくとも２つの時間枠を評価するステップと、
ｂ）実質的にリアルタイムで、当該時間枠信号の少なくとも１つの複数の各時間枠内で、少なくとも相場が弱気の動向も相場が強気の動向も、任意の歴史上の時間に関連する取引動向を計算するステップと、
ｃ）当該各時間枠における当該取引動向の各当該計算と、当該各時間枠より以前の少なくとも１つの時間枠における少なくとも１つの取引動向とを比較するステップと、
ｄ）当該取引動向（相場が弱気に対して相場が強気）の変動を含む任意の当該比較の当該少なくとも１人のトレーダーを通知するステップと
をさらに含む請求項２５に記載のコンピュータプログラムシステム。
【請求項２７】
ａ）各当該時間枠と比較された当該前の各時間枠は、各当該時間枠として少なくとも１つの時間に隣接した等しい長さの時間枠を含むこと
を特徴とする請求項２６に記載のシステム。
【請求項２８】
ａ）当該少なくとも１つの売買可能な証券を売る当該歴史上の集合的な要求と、当該時間枠の少なくとも１つの複数の当該期間の当該少なくとも１つの複数のための少なくとも１つの「大小関係」を判定する少なくとも１つの売買可能な証券を買う当該歴史上の集合的な要求とを、自動的に比較するステップと、
ｂ）当該時間枠の少なくとも１つの複数のための当該期間の個々の当該少なくとも１つの複数のために当該比較の当該結果の当該少なくとも１人のトレーダーを自動的に通知するステップと、
ｃ）当該「大小関係」の当該少なくとも１つのリバーサルが少なくとも２つの当該離散的な期間内に生じる場合、当該少なくとも１人のトレーダーを自動的に通知するステップと
をさらに含む請求項２５に記載のコンピュータプログラムシステム。
【請求項２９】
当該「大小関係」の当該少なくとも１つのリバーサルが少なくとも３つの当該離散的な期間内に生じる場合、当該に少なくとも１人のトレーダーを自動的に通知するステップをさらに含む請求項２８に記載のコンピュータプログラムシステム。
【請求項３０】
当該「大きな小さい関係」の当該少なくとも１つのリバーサルが少なくとも４つの当該離散的な期間内に生じる場合、当該少なくとも１人のトレーダーを自動的に通知するステップをさらに含む請求項２８に記載のコンピュータプログラムシステム。
【請求項３１】
ａ）少なくとも１つの他のチャートと共同で提示するための当該「大小関係」の当該少なくとも１つのリバーサルの発生を表わす少なくとも１つの第１のシンボルを生成するステップと、
ｂ）当該少なくとも１つの他のチャートと共同で提示するための当該「大小関係」を表わす少なくとも１つの第２のシンボルを生成するステップと、
ｃ）当該少なくとも１つの他のチャートと共同で提示するための少なくとも３つの当該離散的な期間内の当該「大小関係」の少なくとも１つのリバーサルの発生を表わす当該少なくとも１つの第３のシンボルを生成するステップと、
ｄ）当該少なくとも１つの他のチャートと共同で提示するための少なくとも４つの当該離散的な期間の当該「大小関係」の少なくとも１つのリバーサルの発生を表わす当該少なくとも１つの第４のシンボルを生成するステップと
をさら含む請求項２５に記載のコンピュータプログラムシステム。
【請求項３２】
少なくとも１人のトレーダーによって、少なくとも１つの売買可能な証券を売買することと関係する意志決定を支援することに関連するコンピュータリアルタイム解析システムであって、
ａ）実質的にリアルタイムで、当該少なくとも１つの売買可能な証券に関連する歴史上の時間関連する取引データを電子的に受信するために適した少なくとも１つのコンピュータプロセッサと、
ｂ）実質的にリアルタイムで、当該歴史上の時間に関連する取引データを時間枠の少なくとも１つの複数に用いて、当該少なくとも１つの売買可能な証券を売る歴史上の集合的な要求を表わす少なくとも１つの第１の時間に関連する値を、少なくとも第１の計算として計算するために適した少なくとも１つのコンピュータプロセッサと、
ｃ）実質的にリアルタイムで、少なくとも１つの第２の計算として、当該時間枠の少なくとも１つの複数のために当該歴史上の時間に関連する取引データを用いて、当該少なくとも１つの売買可能な証券を買うために歴史上の集合的な要求を表わす時間に関連する少なくとも１つの第２の値を計算するために適した少なくとも１つのコンピュータプロセッサと、
ｄ）実質的にリアルタイムで、当該少なくとも１つの時間枠のために時間枠の少なくとも１つの複数を売る当該歴史上の集合的な要求と買う当該歴史上の集合的な要求との間で、少なくとも１つの「大小関係」の第１の決定をする、当該少なくとも１つの売買可能な証券を売る当該の歴史上の集合的な要求と、当該少なくとも１つの売買可能な証券を買う当該歴史上の集合的な要求を比較するために適した少なくとも１つのコンピュータプロセッサと、
ｅ）当該第１の決定から少なくとも１つの前の時間枠の当該「大小関係」の第２の決定と比較して、当該第１の決定と当該第２の決定との間の当該「大小関係」の任意のリバーサルを識別するために適した少なくとも１つのコンピュータプロセッサと、
ｉ）当該少なくとも１つのリバーサルは、当該少なくとも１つの売買可能な証券のための少なくとも１セットの買い／売りインジケータを含み、
ｆ）実質的にリアルタイムで、当該少なくとも１セットの買い／売りインジケータを当該少なくとも１人のトレーダーに表示するために適した少なくとも１つのコンピュータプロセッサと
を備えるコンピュータリアルタイム解析システム。
【請求項３３】
ａ）当該少なくとも１つの時間枠のための当該少なくとも１つの第１の時間に関連する値の少なくとも１つの第１の図形表現を生成するために適した少なくとも１つのコンピュータプロセッサと、
ｂ）当該少なくとも１つの時間枠のための当該少なくとも１つの第２の時間に関連する値の少なくとも１つの第２の図形表現を生成するために適した少なくとも１つのコンピュータプロセッサと、
ｃ）少なくとも１つの比較分析チャート内の当該少なくとも１つの第１の図形表現および当該少なくとも１つの第２の図形表現を共同で表示するために適した少なくとも１つのコンピュータプロセッサと
をさらに含む請求項３２に記載のコンピュータリアルタイム解析システム。
【請求項３４】
ａ）当該少なくとも１つの時間枠のための時間に関連する少なくとも１つの第３の値を計算するために適した少なくとも１つのコンピュータプロセッサと、
ｂ）当該少なくとも時間に関連する１つの第３の値は、当該少なくとも１つの時間枠のための当該少なくとも１つの売買可能な証券に払われた少なくとも１つの安値に基づき、
ｃ）当該少なくとも１つの１時間枠のための少なくとも１つの第４の時間に関連する値を計算するために適した少なくとも１つのコンピュータプロセッサと、
ｄ）当該少なくとも時間に関連する１つの第４の値は、当該少なくとも１つの時間枠のための当該少なくとも１つの売買可能な証券に払われた少なくとも１つの高値に基づき、
ｅ）当該少なくとも１つの時間枠のための当該少なくとも１つの第３の時間に関連する値の少なくとも１つの第３の図形表現を生成するために適した少なくとも１つのコンピュータプロセッサと、
ｆ）当該少なくとも１つの時間枠のための当該少なくとも１つの第４の時間に関連する値の少なくとも１つの第４の図形表現を生成するために適した少なくとも１つのコンピュータプロセッサと、
ｇ）当該少なくとも１つの第３の図形表現および当該少なくとも１つの第４の図形表現を、当該少なくとも１つの比較分析チャート上の当該少なくとも１つの第１の図形表現および当該少なくとも１つの第２の図形表現と共同で表示するために適した少なくとも１つのコンピュータプロセッサと
をさらに含む請求項３３に記載のコンピュータリアルタイム解析システム。
【請求項３５】
ａ）当該少なくとも１つの時間枠のための当該少なくとも１つの売買可能な証券の変動率を表わす少なくとも１つの第５の時間に関連する値を計算するために適した少なくとも１つのコンピュータプロセッサと、
ｂ）当該少なくとも１つの第５の時間に関連する値は、当該少なくとも１つの時間枠のための当該少なくとも１つの売買可能な証券に支払われた値の少なくとも１つの範囲に基づき、
ｃ）当該少なくとも１つの時間枠のための当該少なくとも１つの第５の時間に関連する値の少なくとも１つの第５の図形表現を生成するために適した少なくとも１つのコンピュータプロセッサと、
ｄ）少なくとも１つの変動率チャート内に当該少なくとも１つの第５の図形表現を表示するために適した少なくとも１つのコンピュータプロセッサと、
ｅ）当該少なくとも１つの変動率チャートを当該少なくとも１つの比較分析チャートをと共に表示するために適した少なくとも１つのコンピュータプロセッサと
をさらに含む請求項３２に記載のコンピュータリアルタイム解析システム。
【請求項３６】
当該少なくとも１つの関連する歴史上の取引データは少なくとも
ａ）当該少なくとも１つの時間枠のための当該少なくとも１つの売買可能な証券のための高値と、
ｂ）当該少なくとも１つの時間枠のための当該少なくとも１つの売買可能な証券のための安値と、
ｃ）当該少なくとも１つの時間枠のための当該少なくとも１つの売買可能な証券のための始値と、
ｄ）当該少なくとも１つの時間枠のための当該少なくとも１つの売買可能な証券のための終値と
を含む請求項３２に記載のコンピュータリアルタイム解析システム。
【請求項３７】
ａ）当該少なくとも１つの第１の時間に関連する値は、当該少なくとも１つの時間枠のための当該少なくとも１つの売買可能な証券のために少なくとも当該終値を用いる当該少なくとも１つの第１の計算に基づき、
ｂ）当該少なくとも１つの第２の時間に関連する値は、当該少なくとも１つの時間枠のための当該少なくとも１つの売買可能な証券のために少なくとも当該終値を用いる当該少なくとも１つの第２の計算に基づくこと
を特徴とする請求項３２に記載のコンピュータリアルタイム解析システム。
【請求項３８】
当該少なくとも１セットの買い／売りインジケータは、
ａ）少なくとも１つの売りインジケータと、
ｂ）少なくとも１つの買いインジケータと
を含む請求項３３に記載のコンピュータリアルタイム解析システム。
【請求項３９】
ａ）当該少なくとも１つの第１の時間に関連する値が当該少なくとも１つの第２の時間に関連する値より大きい場合、当該少なくとも１つの比較分析チャート上に当該少なくとも１つの売りインジケータを表示するために適した少なくとも１つのコンピュータプロセッサと、
ｂ）当該少なくとも１つの第２の時間に関連する値が当該少なくとも１つの時間枠のための当該少なくとも１つの第１の時間に関連する値より大きい場合、当該少なくとも１つの比較分析チャート上に当該少なくとも１つの買いインジケータを表示するために適した少なくとも１つのコンピュータプロセッサと
を含む請求項３８に記載のコンピュータリアルタイム解析システム。
【請求項４０】
当該時間枠の少なくとも１つの複数は、少なくとも１分から少なくとも１年までの互いに各々の実質的に異なっている時間長の離散的な期間を含むことを特徴とする請求項３２に記載のコンピュータリアルタイム解析システム。
【請求項４１】
ａ）少なくとも１分から少なくとも１年まで、当該離散的な期間、互いに実質的に異なっている各々の時間長、および現在で各々終了することを含む時間枠の少なくとも１つの複数内の少なくとも２つの時間枠の平行の評価に適した少なくとも１つのコンピュータプロセッサと、
ｂ）実質的にリアルタイムで、当該時間枠信号の少なくとも１つの複数の各時間枠内で、少なくとも相場が弱気の動向も相場が強気の動向も、任意の歴史上の時間に関連する取引動向を計算するために適した少なくとも１つのコンピュータプロセッサと、
ｃ）当該各時間枠における当該取引動向の各当該計算と、当該各時間枠より以前の少なくとも１つの時間枠における少なくとも１つの取引動向とを比較するために適した少なくとも１つのコンピュータプロセッサと、
ｄ）当該取引動向（相場が弱気に対して相場が強気）の変動を含む任意の当該比較の当該少なくとも１人のトレーダーを通知するために適した少なくとも１つのコンピュータプロセッサと
をさらに含む請求項４０に記載のコンピュータリアルタイム解析システム。
【請求項４２】
ａ）各当該時間枠と比較された当該前の各時間枠は、各当該時間枠として少なくとも１つの時間に隣接した等しい長さの時間枠を含むこと
を特徴とする請求項４１に記載のコンピュータリアルタイム解析システム。
【請求項４３】
ａ）当該少なくとも１つの売買可能な証券を売る当該歴史上の集合的な要求と、当該時間枠の少なくとも１つの複数の当該期間の当該少なくとも１つの複数のための少なくとも１つの「大小関係」を判定する少なくとも１つの売買可能な証券を買う当該歴史上の集合的な要求とを、自動的に比較するために適した少なくとも１つのコンピュータプロセッサと、
ｂ）当該時間枠の少なくとも１つの複数のための当該期間の個々の当該少なくとも１つの複数のために当該比較の当該結果の当該少なくとも１人のトレーダーを自動的に通知するために適した少なくとも１つのコンピュータプロセッサと、
ｃ）当該「大小関係」の当該少なくとも１つのリバーサルが少なくとも２つの当該離散的な期間内に生じる場合、当該少なくとも１人のトレーダーを自動的に通知するために適した少なくとも１つのコンピュータプロセッサと
をさらに含む請求項４０に記載のコンピュータリアルタイム解析システム。
【請求項４４】
当該「大小関係」の当該少なくとも１つのリバーサルが少なくとも３つの当該離散的な期間内に生じる場合、当該に少なくとも１人のトレーダーを自動的に通知するために適した少なくとも１つのコンピュータプロセッサをさらに含む請求項４３に記載のコンピュータリアルタイム解析システム。
【請求項４５】
当該「大小関係」の当該少なくとも１つのリバーサルが少なくとも４つの当該離散的な期間内に生じる場合、当該少なくとも１人のトレーダーを自動的に通知するために適した少なくとも１つのコンピュータプロセッサをさらに含む請求項４３に記載のコンピュータリアルタイム解析システム。
【請求項４６】
ａ）少なくとも１つの他のチャートと共同で提示するための当該「大小関係」の当該少なくとも１つのリバーサルの発生を表わす少なくとも１つの第１のシンボルを生成するために適した少なくとも１つのコンピュータプロセッサと、
ｂ）当該少なくとも１つの他のチャートと共同で提示するための当該「大小関係」を表わす少なくとも１つの第２のシンボルを生成するために適した少なくとも１つのコンピュータプロセッサと、
ｃ）当該少なくとも１つの他のチャートと共同で提示するための少なくとも３つの当該離散的な期間内の当該「大小関係」の少なくとも１つのリバーサルの発生を表わす当該少なくとも１つの第３のシンボルを生成するために適した少なくとも１つのコンピュータプロセッサと、
ｄ）当該少なくとも１つの他のチャートと共同で提示するための少なくとも４つの当該離散的な期間の当該「大小関係」の少なくとも１つのリバーサルの発生を表わす当該少なくとも１つの第４のシンボルを生成するために適した少なくとも１つのコンピュータプロセッサと
をさら含む請求項４０に記載のコンピュータリアルタイム解析システム。
【請求項４７】
少なくとも１人のトレーダーによって、少なくとも１つの売買可能な証券を売買することと関係する意志決定を支援することに関連するコンピュータリアルタイム解析システムであって、
ａ）実質的にリアルタイムで、当該少なくとも１つの売買可能な証券に関連する歴史上の時間に関連する取引データを電子的に受信するために適した少なくとも１つのコンピュータプロセッサと、
ｂ）少なくとも１分から少なくとも１年まで、当該離散的な期間、互いに実質的に異なっている各々の時間長、および現在で各々終了することを含む時間枠の少なくとも１つの複数内の平行の評価に適した少なくとも１つのコンピュータプロセッサと、
ｃ）実質的にリアルタイムで、当該時間枠信号の少なくとも１つの複数の各時間枠内で、少なくとも相場が弱気の動向も相場が強気の動向も、任意の歴史上の時間に関連する取引動向を計算するために適した少なくとも１つのコンピュータプロセッサと、
ｄ）当該各時間枠における当該取引動向の各当該計算と、当該各時間枠より以前の少なくとも１つの時間枠における少なくとも１つの取引動向とを比較するために適した少なくとも１つのコンピュータプロセッサと、
ｅ）当該取引動向（相場が弱気に対して相場が強気）の変動を含む任意の当該比較の当該少なくとも１人のトレーダーを通知するために適した少なくとも１つのコンピュータプロセッサと
を含むコンピュータリアルタイム解析システム。
【請求項４８】
ａ）各当該時間枠と比較された当該前の各時間枠は、各当該時間枠として少なくとも１つの時間に隣接した等しい長さの時間枠を含むこと
を特徴とする請求項４７に記載のコンピュータリアルタイム解析システム。
【請求項４９】
ａ）当該時間枠の少なくとも１つの複数は、当該セットが各他の当該セットからの当該離散的な期間の異なる組み合わせを含み、当該複数（当該異なる離散的な期間の）の少なくとも１パーツの複数のセットを含み、
ｂ）当該セットのどれが相場が強気か、当該セットのどれが相場が弱気かを判定するために適した少なくとも１つのコンピュータプロセッサと、
ｃ）相場が強気の各々の当該セット、および相場が弱気の各々の当該セットの当該少なくとも１人のトレーダーを通知することに適した少なくとも１つのコンピュータプロセッサとを備え、
ｄ）当該通知は当該１人のトレーダーによる当該意志決定を最も支援するために用いられてもよいこと
を特徴とする請求項４７に記載のコンピュータリアルタイム解析システム。
【請求項５０】
少なくとも１人のトレーダーの指示を用いることと関連して、少なくとも１つの売買可能な証券をトレードするにおいて少なくとも１人のトレーダーによる意志決定を支援するために少なくとも１つの解析スクリーンを有しているコンピュータリアルタイム解析システムに関する、当該指示を支援する方法であって、
ａ）当該少なくとも１つの解析スクリーンの少なくとも１つの例に関連させた少なくとも第１の説明チャートを含む少なくとも１つの第１の補助教材を提供するステップと、
ｂ）当該少なくとも１つの解析スクリーンは、前記コンピュータリアルタイム解析システムによって計算された少なくとも１つのインジケータ信号を含み、
ｃ）当該少なくとも１つのインジケータ信号の計算の少なくとも１つの方法へ関連する少なくとも１つの第２の説明チャートを含む少なくとも１つの第２の補助教材を提供するステップと、
ｄ）当該少なくとも１つのインジケータ信号の解釈に関連する少なくとも１つの第３の説明チャート含む少なくとも１つの第３の補助教材を提供するステップと、
ｅ）当該に少なくとも１人のトレーダーをのトレードの判定を直接ガイドすることに関連する少なくとも１つの第４の説明チャートを含む少なくとも１つの第４の補助教材を提供するステップと
を含む方法。
【請求項５１】
ａ）当該少なくとも第１の補助教材、当該少なくとも１つの第２の補助教材、当該少なくとも１つの第３の補助教材、および当該少なくとも１つの第４の補助教材を用いる当該少なくとも１人のトレーダーのトレードの判定を当該直接ガイドすることに関連する当該少なくとも１人のトレーダーの指示を提供するステップ
をさらに含む請求項５０に記載の方法。
【請求項５２】
当該少なくとも１つのインジケータ信号は、
ａ）前記コンピュータリアルタイム解析システムによって生成されたＶ−４インジケータと、
ｂ）前記コンピュータリアルタイム解析システムによって生成されたＶ−２インジケータと、
ｃ）前記コンピュータリアルタイム解析システムによって生成されたアライメントインジケータと、
ｄ）前記コンピュータリアルタイム解析システムによって生成された解説インジケータと
を含む請求項５１に記載の方法。
【請求項５３】
当該少なくとも１つのインジケータ信号は、
ａ）前記コンピュータリアルタイム解析システムによって生成された新規のクロスインジケータと、
ｂ）前記コンピュータリアルタイム解析システムによって生成された合成クロスインジケータと、
ｃ）前記コンピュータリアルタイム解析システムによって生成されたドット理論インジケータと、
ｄ）前記コンピュータリアルタイム解析システムによって生成された金色の棒理論インジケータと
をさらに含む請求項５２に記載の方法。
【請求項５４】
当該少なくとも１つのインジケータ信号は、前記コンピュータリアルタイム解析システムによって生成されたＦＸピボット理論インジケータをさらに含む請求項５２に記載の方法。
【請求項５５】
当該少なくとも１つのインジケータ信号は、前記コンピュータリアルタイム解析システムによって生成された変動率理論インジケータをさらに含む請求項５２に記載の方法。
【請求項５６】
当該少なくとも１つのインジケータ信号は、前記コンピュータリアルタイム解析システムによって生成されたリバーサル棒インジケータをさらに含む請求項５２に記載の方法。
【請求項５７】
当該少なくとも１つのインジケータ信号は、前記コンピュータリアルタイム解析システムによって生成されたリアルタイム変動バー理論インジケータをさらに含む請求項５２に記載の方法。
【請求項５８】
当該少なくとも１つのインジケータ信号は、前記コンピュータリアルタイム解析システムによって生成されたデイトレーダーヘブンインジケータをさらに含む請求項５２に記載の方法。
【請求項５９】
当該少なくとも１つのインジケータ信号は、前記コンピュータリアルタイム解析システムによって生成された変動トレーダーヘブンインジケータをさらに含む請求項５２に記載の方法。
【請求項６０】
当該少なくとも１つのインジケータ信号は、前記コンピュータリアルタイム解析システムによって生成された短期のトレーダーヘブンインジケータをさらに含む請求項５２に記載の方法。
【請求項６１】
当該少なくとも１つのインジケータ信号は、前記コンピュータリアルタイム解析システムによって生成された長期のトレーダーヘブン理論インジケータをさらに含む請求項５２に記載の方法。
【請求項６２】
当該少なくとも１つのインジケータ信号は、前記コンピュータリアルタイム解析システムによって生成されたアライメントインジケータのためのクリティカルパス法をさらに含む請求項５２に記載の方法。
【請求項６３】
ａ）当該指示に関連する少なくとも１つのトレーニングカリキュラムを提供するステップと、
ｂ）当該少なくとも１つのカリキュラムに基づいた少なくとも１つのセッションを伝達するステップと、
ｃ）当該少なくとも１つのセッションの当該伝達を記録するステップと
をさらに含む請求項５０に記載の方法。
【請求項６４】
当該少なくとも１つのカリキュラムを基づいた少なくとも１つのセッションを伝達する当該ステップは、
ａ）少なくとも１つのライブ教室に基づいたセッションを伝達するステップと、
ｂ）少なくとも１つのライブインターネットに基づいたセッションを伝達するステップと
を含む請求項６３に記載の方法。
【請求項６５】
ａ）当該少なくとも１つのライブ教室に基づいた訓練セッションの少なくとも１つの記録を準備するステップと、
ｂ）少なくとも１つのライブインターネットに基づいた実地訓練セッションの当該少なくとも１つの記録を準備するステップと
をさらに含む請求項６４に記載の方法。
【請求項６６】
ａ）分配できるメディアの少なくとも１つの形式で当該少なくとも１つの記録を配布するために提供するステップと、
ｂ）少なくとも１つのインターネットに基づいたウェブサイトから、当該少なくとも１つの記録を配布するために提供するステップと
をさらに含む請求項６５に記載の方法。
【請求項６７】
ａ）複数のカラーは当該少なくとも１つの第１の説明チャートのエレメントを識別するために用いられ、
ｂ）複数のカラーは当該少なくとも１つの第２の説明チャートのエレメントを識別するために用いられ、
ｃ）複数のカラーは当該少なくとも１つの第３の説明チャートのエレメントを識別するために用いられ、
ｄ）複数のカラーは当該少なくとも１つの第４の説明チャートのエレメントを識別するために用いられること
を特徴とする請求項５０に記載の方法。
【請求項６８】
少なくとも１つの売買可能な証券のトレードにおける少なくとも１人のトレーダーによる意志決定を支援するために少なくとも１つの解析スクリーン（当該少なくとも１つの解析スクリーンは、前記コンピュータリアルタイム解析システムによって計算された少なくとも１つのインジケータ信号を含む）を有しているコンピュータリアルタイム解析システムに関連する、当該少なくとも１人のトレーダーの指示の支援に関連するキットシステムであって、
ａ）当該少なくとも１つの解析スクリーンの少なくとも１つの例に関連した少なくとも１つの第１の説明チャートを含む少なくとも１つの第１の補助教材と、
ｂ）当該少なくとも１つのインジケータ信号の計算の少なくとも１つの方法に関連する少なくとも１つの第２の説明チャートを含む少なくとも１つの第２の補助教材と、
ｃ）当該少なくとも１つのインジケータ信号の解釈に関連する少なくとも１つの第３の説明チャートを含む少なくとも１つの第３の補助教材と、
ｄ）当該少なくとも１人のトレーダーのトレードの判定を直接ガイドすることに関連する少なくとも１つの第４の説明チャートを含む少なくとも１つの第４の補助教材と
を含むキットシステム。
【発明の詳細な説明】
【技術分野】
【０００１】
本発明は、金融市場における売買のために改善された意志決定のためのシステムを提供することに関する。特に、本発明は、総体としてマーケットビークルと呼ばれる、株、商品、指数、通貨または金融市場デリバティブのための市場動向の変動の迅速な確認のために改善された信頼性を提供するためのシステムを提供することに関する。
【背景技術】
【０００２】
テクニカル分析（それは歴史上の市場統計およびチャートパターンに基づいた株の評価を含んでいる）は、近年大流行になった。１９９０年代に、様々なツールがデイトレーダーおよび他のタイプのトレーダーに利用可能になった。要約すると、これらのツールの目的は、上昇か下降かである市場方向の変動の可能な限り迅速な検証を提供することである。これらの市場分析ツールは、多くの場合、Ｊ．ウェルズ・ワイルダーの方向性インデックス（ＤＭＩ）、クリティカルパス法、リアルタイム変動バー法などのような、様々な統計的方法に基づく。これらの方法などは、トレーダーに豊富な情報を提供するが、それらは複雑であって、あるケースではそれらの表示と計算が完全なリアルタイムでない傾向がある。さらに、買い圧力および売り圧力などのような市場諸力は、トレーダーに完全には意味深長に評価されないし表示されない。
【０００３】
さらに、既存のツールは、１つ以上の時間枠にわたって市場動向を同時に評価する能力を自動的に提供しない。したがって、トレーダーは、現在の動向の方向または継続における変動の表示を確認するために、手動で異なる時間枠を評価しなければならない。
【０００４】
したがって、市場動向および動向変動の改善されたビジュアル・プレゼンテーション、および複数の時間枠に対する市場動向および動向変動の自動評価を提供するためのシステムを提供することは、大いに望ましい。また、リアルタイムの市場分析ソフトウェアを用いて、トレーダーに意志決定のトレーニングを提供することは、大いに望ましい。
【発明の開示】
【発明が解決しようとする課題】
【０００５】
本発明は、任意の売買可能な証券市場のための買い圧力および売り圧力のリアルタイム計算のためのシステムを提供することを、主な目的および機能とする。
【０００６】
本発明は、買い圧力と売り圧力のリアルタイム視覚情報同時提示のために、当該システムを提供することをもう１つの目的および機能とする。
【０００７】
本発明は、自動的に検出された市場動向変動に基づいた、売買インジケータおよび専門家の解説の自動プレゼンテーションのために、当該システムを提供することを別の目的および機能とする。
【０００８】
しかし、別の目的および本発明の機能は、売買などのような提案された取引行為の複数の確認、リアルタイムで識別するべき複数の時間枠の市場動向および市場変動の自動分析のために、トレーダーがよりよい実際の取り引きする判定を下すために、好ましくはトレーニングシステムを含む当該システムを提供することである。
【０００９】
本発明は、効率的で、安く、手軽なシステムを提供することを、さらに主な目的および機能とする。他の目的および本発明の機能は、以下の記述に関連して明らかになるだろう。
【００１０】
スクリーン、トレーニングチャートなどを示す図は、特にビジュアル化と学習の速度および精度を大いに支援するために好ましくはカラーを用い、また、優先権書類をすべて含む図の本来のものは特定の色にあることは、注目される。万一本出願がカラーなしで公表されるならば、本出願人は明細書用語および参考番号で当該カラーの位置および使用を指摘しようとしているが、当該原色における米国の対応する優先権出願は、公衆の目および明細書補助のために利用可能になる。
【課題を解決するための手段】
【００１１】
これに関して、好ましい実施例によれば、本発明は、少なくとも１人トレーダーによって、少なくとも１つの売買可能な証券の売買と関係する意志決定を支援することに関係するシステムであって、当該少なくとも１つの売買可能な証券に関連する歴史上の時間に関連する取引データを受信するステップと、当該歴史上の時間に関連する取引データを時間枠の少なくとも１つの複数に用いて、当該少なくとも１つの売買可能な証券を売る歴史上の集合的な要求を表わす少なくとも１つの第１の時間に関連する値を、少なくとも第１の計算として計算するステップと、少なくとも１つの第２の計算として、当該時間枠の少なくとも１つの複数のために当該歴史上の時間に関連する取引データを用いて、当該少なくとも１つの売買可能な証券を買うために歴史上の集合的な要求を表わす時間に関連する少なくとも１つの第２の値を計算するステップと、当該少なくとも１つの時間枠のために時間枠の少なくとも１つの複数を売る当該歴史上の集合的な要求と買う当該歴史上の集合的な要求との間で、少なくとも１つの「大小関係」の第１の決定をする、当該少なくとも１つの売買可能な証券を売る当該の歴史上の集合的な要求と、当該少なくとも１つの売買可能な証券を買う当該歴史上の集合的な要求を比較するステップと、当該第１の決定から少なくとも１つの前の時間枠の当該「大小関係」の第２の決定と比較して、当該第１の決定と当該第２の決定との間の当該「大小関係」の任意のリバーサルを識別するステップと、当該任意のリバーサルの当該少なくとも１人のトレーダーを通知するステップとを含み、当該通知することは、当該１人のトレーダーによる当該意志決定を最も支援するために用いられてもよいことを特徴とするシステムを提供する。さらに、実質的にリアルタイムの必要な計算の実行のために少なくとも１つのコンピュータ・ベースのプログラムを利用するステップと、実質的にリアルタイムで当該少なくとも１人のトレーダーとの通信のための当該少なくとも１つのコンピュータ・ベースのプログラムを利用するステップとをさらに含む当該システムを提供する。さらに、当該少なくとも１つの時間枠のための当該少なくとも１つの第１の時間に関連する値の少なくとも１つの第１の図形表現を生成するステップと、当該少なくとも１つの時間枠のための当該少なくとも１つの第２の時間に関連する値の少なくとも１つの第２の図形表現を生成するステップとをさらに含み、当該少なくとも１つの第１の図形表現および当該少なくとも１つの第２の図形表現は、比較分析に関連する少なくとも１つのシステムを提供する少なくとも１つの比較分析チャートの中で共同で示されることを特徴とする当該システムを提供する。また、当該少なくとも１つの時間枠のための時間に関連する少なくとも１つの第３の値を計算するステップと、当該少なくとも時間に関連する１つの第３の値は、当該少なくとも１つの時間枠のための当該少なくとも１つの売買可能な証券に払われた少なくとも１つの安値に基づき、当該少なくとも１つの１時間枠のための少なくとも１つの第４の時間に関連する値を計算するステップと、当該少なくとも時間に関連する１つの第４の値は、当該少なくとも１つの時間枠のための当該少なくとも１つの売買可能な証券に払われた少なくとも１つの高値に基づき、当該少なくとも１つの時間枠のための当該少なくとも１つの第３の時間に関連する値の少なくとも１つの第３の図形表現を生成するするステップと、当該少なくとも１つの時間枠のための当該少なくとも１つの第４の時間に関連する値の少なくとも１つの第４の図形表現を生成するするステップとをさらに含み、当該少なくとも１つの第３の図形表現および当該少なくとも１つの第４の図形表現は、各々当該少なくとも１つの比較分析チャート上の当該少なくとも１つの第１の図形表現および当該少なくとも１つの第２の図形表現で共同で提供されることを特徴とする当該システムを提供する。さらに、当該少なくとも１つの時間枠のための当該少なくとも１つの売買可能な証券の変動率を表わす少なくとも１つの第５の時間に関連する値を計算するステップと、当該少なくとも１つの第５の時間に関連する値は、当該少なくとも１つの時間枠のための当該少なくとも１つの売買可能な証券に支払われた値の少なくとも１つの範囲に基づき、当該少なくとも１つの時間枠のための当該少なくとも１つの第５の時間に関連する値の少なくとも１つの第５の図形表現を生成するステップと、少なくとも１つの変動率チャート内に当該少なくとも１つの第５の図形表現を提示するステップと、当該少なくとも１つの変動率チャートを当該少なくとも１つの比較分析チャートをと共に提示するステップとをさらに含む当該システムを提供する。また、当該少なくとも１つの関連する歴史上の取引データは少なくとも、当該少なくとも１つの時間枠のための当該少なくとも１つの売買可能な証券のための高値と、当該少なくとも１つの時間枠のための当該少なくとも１つの売買可能な証券のための安値と、当該少なくとも１つの時間枠のための当該少なくとも１つの売買可能な証券のための始値と、当該少なくとも１つの時間枠のための当該少なくとも１つの売買可能な証券のための終値とを含む当該システムを提供する。さらに、当該少なくとも１つの第１の時間に関連する値は、当該少なくとも１つの時間枠のための当該少なくとも１つの売買可能な証券のために少なくとも当該終値を用いる当該少なくとも１つの第１の計算に基づき、当該少なくとも１つの第２の時間に関連する値は、当該少なくとも１つの時間枠のための当該少なくとも１つの売買可能な証券のために少なくとも当該終値を用いる当該少なくとも１つの第２の計算に基づくことを特徴とする当該システムを提供する。さらに、少なくとも１セットの買い／売りインジケータは、少なくとも１つの売りインジケータと、少なくとも１つの買いインジケータとを含む当該システムを提供する。さらに、当該任意のリバーサルの当該少なくとも１人のトレーダーを通知するステップは、当該少なくとも１つの第１の時間に関連する値が当該少なくとも１つの第２の時間に関連する値より大きい場合、当該少なくとも１つの比較分析チャート上に当該少なくとも１つの売りインジケータを提示するステップと、当該少なくとも１つの第２の時間に関連する値が当該少なくとも１つの時間枠のための当該少なくとも１つの第１の時間に関連する値より大きい場合、当該少なくとも１つの比較分析チャート上に当該少なくとも１つの買いインジケータを提示するステップとを含む当該システムを提供する。さらに、当該時間枠の少なくとも１つの複数は、少なくとも１分から少なくとも１年までの互いに各々の実質的に異なっている時間長の離散的な期間を含むことを特徴とする当該システムを提供する。また、時間枠の少なくとも１つの複数と平行して当該少なくとも２つの時間枠を評価するステップと、実質的にリアルタイムで、当該時間枠信号の少なくとも１つの複数の各時間枠内で、少なくとも相場が弱気の動向も相場が強気の動向も、任意の歴史上の時間に関連する取引動向を計算するステップと、当該各時間枠における当該取引動向の各当該計算と、当該各時間枠より以前の少なくとも１つの時間枠における少なくとも１つの取引動向とを比較するステップと、当該取引動向（相場が弱気に対して相場が強気）の変動を含む任意の当該比較の当該少なくとも１人のトレーダーを通知するステップとをさらに含む当該システムを提供する。さらに、各当該時間枠と比較された当該前の各時間枠は、各当該時間枠として少なくとも１つの時間に隣接した等しい長さの時間枠を含むことを特徴とする当該システムを提供する。また、当該少なくとも１つの売買可能な証券を売る当該歴史上の集合的な要求と、当該時間枠の少なくとも１つの複数の当該期間の当該少なくとも１つの複数のための少なくとも１つの「大小関係」を判定する少なくとも１つの売買可能な証券を買う当該歴史上の集合的な要求とを、自動的に比較するステップと、当該時間枠の少なくとも１つの複数のための当該期間の個々の当該少なくとも１つの複数のために当該比較の当該結果の当該少なくとも１人のトレーダーを自動的に通知するステップと、当該「大小関係」の当該少なくとも１つのリバーサルが少なくとも２つの当該離散的な期間内に生じる場合、当該少なくとも１人のトレーダーを自動的に通知するステップとをさらに含む当該システムを提供する。さらに、当該「大小関係」の当該少なくとも１つのリバーサルが少なくとも３つの当該離散的な期間内に生じる場合、当該に少なくとも１人のトレーダーを自動的に通知するステップをさらに含む当該システムを提供する。さらに、当該「大きな小さい関係」の当該少なくとも１つのリバーサルが少なくとも４つの当該離散的な期間内に生じる場合、当該少なくとも１人のトレーダーを自動的に通知するステップをさらに含む当該システムを提供する。さらに、少なくとも１つの他のチャートと共同で提示するための当該「大小関係」の当該少なくとも１つのリバーサルの発生を表わす少なくとも１つの第１のシンボルを生成するステップと、当該少なくとも１つの他のチャートと共同で提示するための当該「大小関係」を表わす少なくとも１つの第２のシンボルを生成するステップと、当該少なくとも１つの他のチャートと共同で提示するための少なくとも３つの当該離散的な期間内の当該「大小関係」の少なくとも１つのリバーサルの発生を表わす当該少なくとも１つの第３のシンボルを生成するステップと、当該少なくとも１つの他のチャートと共同で提示するための少なくとも４つの当該離散的な期間の当該「大小関係」の少なくとも１つのリバーサルの発生を表わす当該少なくとも１つの第４のシンボルを生成するステップとをさら含む当該システムを提供する。
【００１２】
これに関して、別の好ましい実施例によれば、本発明は、少なくとも１人トレーダーによって、少なくとも１つの売買可能な証券の売買に関連する意志決定を支援することに関連する実時間解析に関連するコンピュータプログラムシステムであって、実質的にリアルタイムで、当該少なくとも１つの売買可能な証券に関連する歴史上の時間関連する取引データを電子的に受信するステップと、実質的にリアルタイムで、当該歴史上の時間に関連する取引データを時間枠の少なくとも１つの複数に用いて、当該少なくとも１つの売買可能な証券を売る歴史上の集合的な要求を表わす少なくとも１つの第１の時間に関連する値を、少なくとも第１の計算として計算するステップと、実質的にリアルタイムで、少なくとも１つの第２の計算として、当該時間枠の少なくとも１つの複数のために当該歴史上の時間に関連する取引データを用いて、当該少なくとも１つの売買可能な証券を買うために歴史上の集合的な要求を表わす時間に関連する少なくとも１つの第２の値を計算するステップと、実質的にリアルタイムで、当該少なくとも１つの時間枠のために時間枠の少なくとも１つの複数を売る当該歴史上の集合的な要求と買う当該歴史上の集合的な要求との間で、少なくとも１つの「大小関係」の第１の決定をする、当該少なくとも１つの売買可能な証券を売る当該の歴史上の集合的な要求と、当該少なくとも１つの売買可能な証券を買う当該歴史上の集合的な要求を比較するステップと、当該第１の決定から少なくとも１つの前の時間枠の当該「大小関係」の第２の決定と比較して、当該第１の決定と当該第２の決定との間の当該「大小関係」の任意のリバーサルを識別するステップと、当該少なくとも１つのリバーサルは、当該少なくとも１つの売買可能な証券のための少なくとも１セットの買い／売りインジケータを含み、実質的にリアルタイムで、当該少なくとも１セットの買い／売りインジケータを当該少なくとも１人のトレーダーに表示するステップとを含むコンピュータプログラムシステムを提供する。さらに、当該少なくとも１つの時間枠のための当該少なくとも１つの第１の時間に関連する値の少なくとも１つの第１の図形表現を生成するステップと、当該少なくとも１つの時間枠のための当該少なくとも１つの第２の時間に関連する値の少なくとも１つの第２の図形表現を生成するステップと少なくとも１つの比較分析チャート内の当該少なくとも１つの第１の図形表現および当該少なくとも１つの第２の図形表現を共同で表示するステップとをさらに含む当該コンピュータプログラムシステムを提供する。また、当該少なくとも１つの時間枠のための時間に関連する少なくとも１つの第３の値を計算するステップと、当該少なくとも時間に関連する１つの第３の値は、当該少なくとも１つの時間枠のための当該少なくとも１つの売買可能な証券に払われた少なくとも１つの安値に基づき、当該少なくとも１つの１時間枠のための少なくとも１つの第４の時間に関連する値を計算するステップと、当該少なくとも時間に関連する１つの第４の値は、当該少なくとも１つの時間枠のための当該少なくとも１つの売買可能な証券に払われた少なくとも１つの高値に基づき、当該少なくとも１つの時間枠のための当該少なくとも１つの第３の時間に関連する値の少なくとも１つの第３の図形表現を生成するステップと、当該少なくとも１つの時間枠のための当該少なくとも１つの第４の時間に関連する値の少なくとも１つの第４の図形表現を生成するステップと、当該少なくとも１つの第３の図形表現および当該少なくとも１つの第４の図形表現を、当該少なくとも１つの比較分析チャート上の当該少なくとも１つの第１の図形表現および当該少なくとも１つの第２の図形表現と共同で表示するステップとをさらに含む当該コンピュータプログラムシステムを提供する。さらに、当該少なくとも１つの時間枠のための当該少なくとも１つの売買可能な証券の変動率を表わす少なくとも１つの第５の時間に関連する値を計算するステップと、当該少なくとも１つの第５の時間に関連する値は、当該少なくとも１つの時間枠のための当該少なくとも１つの売買可能な証券に支払われた値の少なくとも１つの範囲に基づき、当該少なくとも１つの時間枠のための当該少なくとも１つの第５の時間に関連する値の少なくとも１つの第５の図形表現を生成するステップと、少なくとも１つの変動率チャート内に当該少なくとも１つの第５の図形表現を表示するステップと、当該少なくとも１つの変動率チャートを当該少なくとも１つの比較分析チャートをと共に表示するステップとをさらに含む当該コンピュータプログラムシステムを提供する。また、当該少なくとも１つの関連する歴史上の取引データは少なくとも、当該少なくとも１つの時間枠のための当該少なくとも１つの売買可能な証券のための高値と、当該少なくとも１つの時間枠のための当該少なくとも１つの売買可能な証券のための安値と、当該少なくとも１つの時間枠のための当該少なくとも１つの売買可能な証券のための始値と、当該少なくとも１つの時間枠のための当該少なくとも１つの売買可能な証券のための終値とを含む当該コンピュータプログラムシステムを提供する。さらに、当該少なくとも１つの第１の時間に関連する値は、当該少なくとも１つの時間枠のための当該少なくとも１つの売買可能な証券のために少なくとも当該終値を用いる当該少なくとも１つの第１の計算に基づき、当該少なくとも１つの第２の時間に関連する値は、当該少なくとも１つの時間枠のための当該少なくとも１つの売買可能な証券のために少なくとも当該終値を用いる当該少なくとも１つの第２の計算に基づくことを特徴とする当該コンピュータプログラムシステムを提供する。さらに、当該少なくとも１セットの買い／売りインジケータは、少なくとも１つの売りインジケータと、少なくとも１つの買いインジケータとを含む当該コンピュータプログラムシステムを提供する。さらに、当該少なくとも１つの第１の時間に関連する値が当該少なくとも１つの第２の時間に関連する値より大きい場合、当該少なくとも１つの比較分析チャート上に当該少なくとも１つの売りインジケータを表示するステップと、当該少なくとも１つの第２の時間に関連する値が当該少なくとも１つの時間枠のための当該少なくとも１つの第１の時間に関連する値より大きい場合、当該少なくとも１つの比較分析チャート上に当該少なくとも１つの買いインジケータを表示するステップとを含む当該コンピュータプログラムシステムを提供する。さらに、当該時間枠の少なくとも１つの複数は、少なくとも１分から少なくとも１年までの互いに各々の実質的に異なっている時間長の離散的な期間を含むことを特徴とする当該コンピュータプログラムシステムを提供する。また、時間枠の少なくとも１つの複数と平行して当該少なくとも２つの時間枠を評価するステップと、実質的にリアルタイムで、当該時間枠信号の少なくとも１つの複数の各時間枠内で、少なくとも相場が弱気の動向も相場が強気の動向も、任意の歴史上の時間に関連する取引動向を計算するステップと、当該各時間枠における当該取引動向の各当該計算と、当該各時間枠より以前の少なくとも１つの時間枠における少なくとも１つの取引動向とを比較するステップと、当該取引動向（相場が弱気に対して相場が強気）の変動を含む任意の当該比較の当該少なくとも１人のトレーダーを通知するステップとをさらに含む当該コンピュータプログラムシステムを提供する。さらに、各当該時間枠と比較された当該前の各時間枠は、各当該時間枠として少なくとも１つの時間に隣接した等しい長さの時間枠を含むことを特徴とする当該システムを提供する。また、当該少なくとも１つの売買可能な証券を売る当該歴史上の集合的な要求と、当該時間枠の少なくとも１つの複数の当該期間の当該少なくとも１つの複数のための少なくとも１つの「大小関係」を判定する少なくとも１つの売買可能な証券を買う当該歴史上の集合的な要求とを、自動的に比較するステップと、当該時間枠の少なくとも１つの複数のための当該期間の個々の当該少なくとも１つの複数のために当該比較の当該結果の当該少なくとも１人のトレーダーを自動的に通知するステップと、当該「大小関係」の当該少なくとも１つのリバーサルが少なくとも２つの当該離散的な期間内に生じる場合、当該少なくとも１人のトレーダーを自動的に通知するステップとをさらに含む当該コンピュータプログラムシステムを提供する。さらに、当該「大小関係」の当該少なくとも１つのリバーサルが少なくとも３つの当該離散的な期間内に生じる場合、当該に少なくとも１人のトレーダーを自動的に通知するステップをさらに含む当該コンピュータプログラムシステムを提供する。さらに、当該「大きな小さい関係」の当該少なくとも１つのリバーサルが少なくとも４つの当該離散的な期間内に生じる場合、当該少なくとも１人のトレーダーを自動的に通知するステップをさらに含む当該コンピュータプログラムシステムを提供する。さらに、少なくとも１つの他のチャートと共同で提示するための当該「大小関係」の当該少なくとも１つのリバーサルの発生を表わす少なくとも１つの第１のシンボルを生成するステップと、当該少なくとも１つの他のチャートと共同で提示するための当該「大小関係」を表わす少なくとも１つの第２のシンボルを生成するステップと、当該少なくとも１つの他のチャートと共同で提示するための少なくとも３つの当該離散的な期間内の当該「大小関係」の少なくとも１つのリバーサルの発生を表わす当該少なくとも１つの第３のシンボルを生成するステップと、当該少なくとも１つの他のチャートと共同で提示するための少なくとも４つの当該離散的な期間の当該「大小関係」の少なくとも１つのリバーサルの発生を表わす当該少なくとも１つの第４のシンボルを生成するステップとをさら含む当該コンピュータプログラムシステムを提供する。
【００１３】
これに関して、別の好ましい実施例によれば、本発明は、少なくとも１人のトレーダーによって、少なくとも１つの売買可能な証券を売買することと関係する意志決定を支援することに関連するコンピュータリアルタイム解析システムであって、実質的にリアルタイムで、当該少なくとも１つの売買可能な証券に関連する歴史上の時間関連する取引データを電子的に受信するために適した少なくとも１つのコンピュータプロセッサと、実質的にリアルタイムで、当該歴史上の時間に関連する取引データを時間枠の少なくとも１つの複数に用いて、当該少なくとも１つの売買可能な証券を売る歴史上の集合的な要求を表わす少なくとも１つの第１の時間に関連する値を、少なくとも第１の計算として計算するために適した少なくとも１つのコンピュータプロセッサと、実質的にリアルタイムで、少なくとも１つの第２の計算として、当該時間枠の少なくとも１つの複数のために当該歴史上の時間に関連する取引データを用いて、当該少なくとも１つの売買可能な証券を買うために歴史上の集合的な要求を表わす時間に関連する少なくとも１つの第２の値を計算するために適した少なくとも１つのコンピュータプロセッサと、実質的にリアルタイムで、当該少なくとも１つの時間枠のために時間枠の少なくとも１つの複数を売る当該歴史上の集合的な要求と買う当該歴史上の集合的な要求との間で、少なくとも１つの「大小関係」の第１の決定をする、当該少なくとも１つの売買可能な証券を売る当該の歴史上の集合的な要求と、当該少なくとも１つの売買可能な証券を買う当該歴史上の集合的な要求を比較するために適した少なくとも１つのコンピュータプロセッサと、当該第１の決定から少なくとも１つの前の時間枠の当該「大小関係」の第２の決定と比較して、当該第１の決定と当該第２の決定との間の当該「大小関係」の任意のリバーサルを識別するために適した少なくとも１つのコンピュータプロセッサと、当該少なくとも１つのリバーサルは、当該少なくとも１つの売買可能な証券のための少なくとも１セットの買い／売りインジケータを含み、実質的にリアルタイムで、当該少なくとも１セットの買い／売りインジケータを当該少なくとも１人のトレーダーに表示するために適した少なくとも１つのコンピュータプロセッサとを備えるコンピュータリアルタイム解析システムを提供する。さらに、当該少なくとも１つの時間枠のための当該少なくとも１つの第１の時間に関連する値の少なくとも１つの第１の図形表現を生成するために適した少なくとも１つのコンピュータプロセッサと、当該少なくとも１つの時間枠のための当該少なくとも１つの第２の時間に関連する値の少なくとも１つの第２の図形表現を生成するために適した少なくとも１つのコンピュータプロセッサと、少なくとも１つの比較分析チャート内の当該少なくとも１つの第１の図形表現および当該少なくとも１つの第２の図形表現を共同で表示するために適した少なくとも１つのコンピュータプロセッサとをさらに含む当該コンピュータリアルタイム解析システムを提供する。また、当該少なくとも１つの時間枠のための時間に関連する少なくとも１つの第３の値を計算するために適した少なくとも１つのコンピュータプロセッサと、当該少なくとも時間に関連する１つの第３の値は、当該少なくとも１つの時間枠のための当該少なくとも１つの売買可能な証券に払われた少なくとも１つの安値に基づき、当該少なくとも１つの１時間枠のための少なくとも１つの第４の時間に関連する値を計算するために適した少なくとも１つのコンピュータプロセッサと、当該少なくとも時間に関連する１つの第４の値は、当該少なくとも１つの時間枠のための当該少なくとも１つの売買可能な証券に払われた少なくとも１つの高値に基づき、当該少なくとも１つの時間枠のための当該少なくとも１つの第３の時間に関連する値の少なくとも１つの第３の図形表現を生成するために適した少なくとも１つのコンピュータプロセッサと、当該少なくとも１つの時間枠のための当該少なくとも１つの第４の時間に関連する値の少なくとも１つの第４の図形表現を生成するために適した少なくとも１つのコンピュータプロセッサと、当該少なくとも１つの第３の図形表現および当該少なくとも１つの第４の図形表現を、当該少なくとも１つの比較分析チャート上の当該少なくとも１つの第１の図形表現および当該少なくとも１つの第２の図形表現と共同で表示するために適した少なくとも１つのコンピュータプロセッサとをさらに含む当該コンピュータリアルタイム解析システムを提供する。さらに、当該少なくとも１つの時間枠のための当該少なくとも１つの売買可能な証券の変動率を表わす少なくとも１つの第５の時間に関連する値を計算するために適した少なくとも１つのコンピュータプロセッサと、当該少なくとも１つの第５の時間に関連する値は、当該少なくとも１つの時間枠のための当該少なくとも１つの売買可能な証券に支払われた値の少なくとも１つの範囲に基づき、当該少なくとも１つの時間枠のための当該少なくとも１つの第５の時間に関連する値の少なくとも１つの第５の図形表現を生成するために適した少なくとも１つのコンピュータプロセッサと、少なくとも１つの変動率チャート内に当該少なくとも１つの第５の図形表現を表示するために適した少なくとも１つのコンピュータプロセッサと、当該少なくとも１つの変動率チャートを当該少なくとも１つの比較分析チャートをと共に表示するために適した少なくとも１つのコンピュータプロセッサとをさらに含む当該コンピュータリアルタイム解析システムを提供する。また、当該少なくとも１つの関連する歴史上の取引データは少なくとも、当該少なくとも１つの時間枠のための当該少なくとも１つの売買可能な証券のための高値と、当該少なくとも１つの時間枠のための当該少なくとも１つの売買可能な証券のための安値と、当該少なくとも１つの時間枠のための当該少なくとも１つの売買可能な証券のための始値と、当該少なくとも１つの時間枠のための当該少なくとも１つの売買可能な証券のための終値とを含む当該コンピュータリアルタイム解析システムを提供する。さらに、当該少なくとも１つの第１の時間に関連する値は、当該少なくとも１つの時間枠のための当該少なくとも１つの売買可能な証券のために少なくとも当該終値を用いる当該少なくとも１つの第１の計算に基づき、当該少なくとも１つの第２の時間に関連する値は、当該少なくとも１つの時間枠のための当該少なくとも１つの売買可能な証券のために少なくとも当該終値を用いる当該少なくとも１つの第２の計算に基づくことを特徴とする当該コンピュータリアルタイム解析システムを提供する。さらに、当該少なくとも１セットの買い／売りインジケータは、少なくとも１つの売りインジケータと、少なくとも１つの買いインジケータとを含む当該コンピュータリアルタイム解析システムを提供する。さらに、当該少なくとも１つの第１の時間に関連する値が当該少なくとも１つの第２の時間に関連する値より大きい場合、当該少なくとも１つの比較分析チャート上に当該少なくとも１つの売りインジケータを表示するために適した少なくとも１つのコンピュータプロセッサと、当該少なくとも１つの第２の時間に関連する値が当該少なくとも１つの時間枠のための当該少なくとも１つの第１の時間に関連する値より大きい場合、当該少なくとも１つの比較分析チャート上に当該少なくとも１つの買いインジケータを表示するために適した少なくとも１つのコンピュータプロセッサとを含む当該コンピュータリアルタイム解析システムを提供する。さらに、当該時間枠の少なくとも１つの複数は、少なくとも１分から少なくとも１年までの互いに各々の実質的に異なっている時間長の離散的な期間を含むことを特徴とする当該コンピュータリアルタイム解析システムを提供する。また、少なくとも１分から少なくとも１年まで、当該離散的な期間、互いに実質的に異なっている各々の時間長、および現在で各々終了することを含む時間枠の少なくとも１つの複数内の少なくとも２つの時間枠の平行の評価に適した少なくとも１つのコンピュータプロセッサと、実質的にリアルタイムで、当該時間枠信号の少なくとも１つの複数の各時間枠内で、少なくとも相場が弱気の動向も相場が強気の動向も、任意の歴史上の時間に関連する取引動向を計算するために適した少なくとも１つのコンピュータプロセッサと、当該各時間枠における当該取引動向の各当該計算と、当該各時間枠より以前の少なくとも１つの時間枠における少なくとも１つの取引動向とを比較するために適した少なくとも１つのコンピュータプロセッサと、当該取引動向（相場が弱気に対して相場が強気）の変動を含む任意の当該比較の当該少なくとも１人のトレーダーを通知するために適した少なくとも１つのコンピュータプロセッサとをさらに含む当該コンピュータリアルタイム解析システムを提供する。さらに、各当該時間枠と比較された当該前の各時間枠は、各当該時間枠として少なくとも１つの時間に隣接した等しい長さの時間枠を含むことを特徴とする当該コンピュータリアルタイム解析システムを提供する。また、当該少なくとも１つの売買可能な証券を売る当該歴史上の集合的な要求と、当該時間枠の少なくとも１つの複数の当該期間の当該少なくとも１つの複数のための少なくとも１つの「大小関係」を判定する少なくとも１つの売買可能な証券を買う当該歴史上の集合的な要求とを、自動的に比較するために適した少なくとも１つのコンピュータプロセッサと、当該時間枠の少なくとも１つの複数のための当該期間の個々の当該少なくとも１つの複数のために当該比較の当該結果の当該少なくとも１人のトレーダーを自動的に通知するために適した少なくとも１つのコンピュータプロセッサと、当該「大小関係」の当該少なくとも１つのリバーサルが少なくとも２つの当該離散的な期間内に生じる場合、当該少なくとも１人のトレーダーを自動的に通知するために適した少なくとも１つのコンピュータプロセッサとをさらに含む当該コンピュータリアルタイム解析システムを提供する。さらに、当該「大小関係」の当該少なくとも１つのリバーサルが少なくとも３つの当該離散的な期間内に生じる場合、当該に少なくとも１人のトレーダーを自動的に通知するために適した少なくとも１つのコンピュータプロセッサをさらに含む当該コンピュータリアルタイム解析システムを提供する。さらに、当該「大小関係」の当該少なくとも１つのリバーサルが少なくとも４つの当該離散的な期間内に生じる場合、当該少なくとも１人のトレーダーを自動的に通知するために適した少なくとも１つのコンピュータプロセッサをさらに含む当該コンピュータリアルタイム解析システムを提供する。さらに、少なくとも１つの他のチャートと共同で提示するための当該「大小関係」の当該少なくとも１つのリバーサルの発生を表わす少なくとも１つの第１のシンボルを生成するために適した少なくとも１つのコンピュータプロセッサと、当該少なくとも１つの他のチャートと共同で提示するための当該「大小関係」を表わす少なくとも１つの第２のシンボルを生成するために適した少なくとも１つのコンピュータプロセッサと、当該少なくとも１つの他のチャートと共同で提示するための少なくとも３つの当該離散的な期間内の当該「大小関係」の少なくとも１つのリバーサルの発生を表わす当該少なくとも１つの第３のシンボルを生成するために適した少なくとも１つのコンピュータプロセッサと、当該少なくとも１つの他のチャートと共同で提示するための少なくとも４つの当該離散的な期間の当該「大小関係」の少なくとも１つのリバーサルの発生を表わす当該少なくとも１つの第４のシンボルを生成するために適した少なくとも１つのコンピュータプロセッサとをさら含む当該コンピュータリアルタイム解析システムを提供する。
【００１４】
これに関して、別の好ましい実施例によれば、本発明は、少なくとも１人のトレーダーによって、少なくとも１つの売買可能な証券を売買することと関係する意志決定を支援することに関連するコンピュータリアルタイム解析システムであって、実質的にリアルタイムで、当該少なくとも１つの売買可能な証券に関連する歴史上の時間関連する取引データを電子的に受信するために適した少なくとも１つのコンピュータプロセッサと、少なくとも１分から少なくとも１年まで、当該離散的な期間、互いに実質的に異なっている各々の時間長、および現在で各々終了することを含む時間枠の少なくとも１つの複数内の平行の評価に適した少なくとも１つのコンピュータプロセッサと、実質的にリアルタイムで、当該時間枠信号の少なくとも１つの複数の各時間枠内で、少なくとも相場が弱気の動向も相場が強気の動向も、任意の歴史上の時間に関連する取引動向を計算するために適した少なくとも１つのコンピュータプロセッサと、当該各時間枠における当該取引動向の各当該計算と、当該各時間枠より以前の少なくとも１つの時間枠における少なくとも１つの取引動向とを比較するために適した少なくとも１つのコンピュータプロセッサと、当該取引動向（相場が弱気に対して相場が強気）の変動を含む任意の当該比較の当該少なくとも１人のトレーダーを通知するために適した少なくとも１つのコンピュータプロセッサとを含むコンピュータリアルタイム解析システムを提供する。さらに、各当該時間枠と比較された当該前の各時間枠は、各当該時間枠として少なくとも１つの時間に隣接した等しい長さの時間枠を含むことを特徴とする当該コンピュータリアルタイム解析システムを提供する。さらに、当該時間枠の少なくとも１つの複数は、当該セットが各他の当該セットからの当該離散的な期間の異なる組み合わせを含み、当該複数（当該異なる離散的な期間の）の少なくとも１パーツの複数のセットを含み、当該セットのどれが相場が強気か、当該セットのどれが相場が弱気かを判定するために適した少なくとも１つのコンピュータプロセッサと、相場が強気の各々の当該セット、および相場が弱気の各々の当該セットの当該少なくとも１人のトレーダーを通知することに適した少なくとも１つのコンピュータプロセッサとを備え、当該通知は当該１人のトレーダーによる当該意志決定を最も支援するために用いられてもよいことを特徴とする当該コンピュータリアルタイム解析システムを提供する。
【００１５】
これに関して、別の好ましい実施例によれば、本発明は、少なくとも１人のトレーダーの指示を用いることと関連して、少なくとも１つの売買可能な証券をトレードするにおいて少なくとも１人のトレーダーによる意志決定を支援するために少なくとも１つの解析スクリーンを有しているコンピュータリアルタイム解析システムに関する、当該指示を支援する方法であって、当該少なくとも１つの解析スクリーンの少なくとも１つの例に関連させた少なくとも第１の説明チャートを含む少なくとも１つの第１の補助教材を提供するステップと、当該少なくとも１つの解析スクリーンは、前記コンピュータリアルタイム解析システムによって計算された少なくとも１つのインジケータ信号を含み、当該少なくとも１つのインジケータ信号の計算の少なくとも１つの方法へ関連する少なくとも１つの第２の説明チャートを含む少なくとも１つの第２の補助教材を提供するステップと、当該少なくとも１つのインジケータ信号の解釈に関連する少なくとも１つの第３の説明チャート含む少なくとも１つの第３の補助教材を提供するステップと、当該に少なくとも１人のトレーダーのトレードの判定を直接ガイドすることに関連する少なくとも１つの第４の説明チャートを含む少なくとも１つの第４の補助教材を提供するステップとを含む方法を提供する。さらに、当該少なくとも第１の補助教材、当該少なくとも１つの第２の補助教材、当該少なくとも１つの第３の補助教材、および当該少なくとも１つの第４の補助教材を用いる当該少なくとも１人のトレーダーのトレードの判定を当該直接ガイドすることに関連する当該少なくとも１人のトレーダーの指示を提供するステップをさらに含む当該方法を提供する。さらに、当該少なくとも１つのインジケータ信号は、前記コンピュータリアルタイム解析システムによって生成されたＶ−４インジケータと、前記コンピュータリアルタイム解析システムによって生成されたＶ−２インジケータと、前記コンピュータリアルタイム解析システムによって生成されたアライメントインジケータと、前記コンピュータリアルタイム解析システムによって生成された解説インジケータとを含む当該方法を提供する。さらに、当該少なくとも１つのインジケータ信号は、前記コンピュータリアルタイム解析システムによって生成された新規のクロスインジケータと、前記コンピュータリアルタイム解析システムによって生成された合成クロスインジケータと、前記コンピュータリアルタイム解析システムによって生成されたドット理論インジケータと、前記コンピュータリアルタイム解析システムによって生成された金色の棒理論インジケータとをさらに含む当該方法を提供する。さらに、当該少なくとも１つのインジケータ信号は、前記コンピュータリアルタイム解析システムによって生成されたＦＸピボット理論インジケータをさらに含む当該方法を提供する。さらに、当該少なくとも１つのインジケータ信号は、前記コンピュータリアルタイム解析システムによって生成された変動率理論インジケータをさらに含む当該方法を提供する。さらに、当該少なくとも１つのインジケータ信号は、前記コンピュータリアルタイム解析システムによって生成されたリバーサル棒インジケータをさらに含む当該方法を提供する。さらに、当該少なくとも１つのインジケータ信号は、前記コンピュータリアルタイム解析システムによって生成されたリアルタイム変動バー理論インジケータをさらに含む当該方法を提供する。さらに、当該少なくとも１つのインジケータ信号は、前記コンピュータリアルタイム解析システムによって生成されたデイトレーダーヘブンインジケータをさらに含む当該方法を提供する。さらに、当該少なくとも１つのインジケータ信号は、前記コンピュータリアルタイム解析システムによって生成された変動トレーダーヘブンインジケータをさらに含む当該方法を提供する。さらに、当該少なくとも１つのインジケータ信号は、前記コンピュータリアルタイム解析システムによって生成された短期のトレーダーヘブンインジケータをさらに含む当該方法を提供する。さらに、該少なくとも１つのインジケータ信号は、前記コンピュータリアルタイム解析システムによって生成された長期のトレーダーヘブン理論インジケータをさらに含む当該方法を提供する。さらに、当該少なくとも１つのインジケータ信号は、前記コンピュータリアルタイム解析システムによって生成されたアライメントインジケータのためのクリティカルパス法をさらに含む当該方法を提供する。さらに、当該指示に関連する少なくとも１つのトレーニングカリキュラムを提供するステップと、当該少なくとも１つのカリキュラムに基づいた少なくとも１つのセッションを伝達するステップと、当該少なくとも１つのセッションの当該伝達を記録するステップとをさらに含む当該方法を提供する。さらに、当該少なくとも１つのカリキュラムを基づいた少なくとも１つのセッションを伝達する当該ステップは、少なくとも１つのライブ教室に基づいたセッションを伝達するステップと、少なくとも１つのライブインターネットに基づいたセッションを伝達するステップとを含む当該方法を提供する。さらに、当該少なくとも１つのライブ教室に基づいた訓練セッションの少なくとも１つの記録を準備するステップと、少なくとも１つのライブインターネットに基づいた実地訓練セッションの当該少なくとも１つの記録を準備するステップとをさらに含む当該方法を提供する。さらに、分配できるメディアの少なくとも１つの形式で当該少なくとも１つの記録を配布するために提供するステップと、少なくとも１つのインターネットに基づいたウェブサイトから、当該少なくとも１つの記録を配布するために提供するステップとをさらに含む当該方法を提供する。さらに、複数のカラーは当該少なくとも１つの第１の説明チャートのエレメントを識別するために用いられ、複数のカラーは当該少なくとも１つの第２の説明チャートのエレメントを識別するために用いられ、複数のカラーは当該少なくとも１つの第３の説明チャートのエレメントを識別するために用いられ、複数のカラーは当該少なくとも１つの第４の説明チャートのエレメントを識別するために用いられることを特徴とする当該方法を提供する。
【００１６】
これに関して、別の好ましい実施例によれば、本発明は、少なくとも１つの売買可能な証券のトレードにおける少なくとも１人のトレーダーによる意志決定を支援するために少なくとも１つの解析スクリーン（当該少なくとも１つの解析スクリーンは、前記コンピュータリアルタイム解析システムによって計算された少なくとも１つのインジケータ信号を含む）を有しているコンピュータリアルタイム解析システムに関連する、当該少なくとも１人のトレーダーの指示の支援に関連するキットシステムであって、当該少なくとも１つの解析スクリーンの少なくとも１つの例に関連した少なくとも１つの第１の説明チャートを含む少なくとも１つの第１の補助教材と、当該少なくとも１つのインジケータ信号の計算の少なくとも１つの方法に関連する少なくとも１つの第２の説明チャートを含む少なくとも１つの第２の補助教材と、当該少なくとも１つのインジケータ信号の解釈に関連する少なくとも１つの第３の説明チャートを含む少なくとも１つの第３の補助教材と、当該少なくとも１人のトレーダーのトレードの判定を直接ガイドすることに関連する少なくとも１つの第４の説明チャートを含む少なくとも１つの第４の補助教材とを含むキットシステムを提供する。
【定義、頭文字および相互参照】
【００１７】
以下の用語および頭文字が、バックグラウンドとして以下で説明され、詳細な説明の全体にわたって用いられる。
【００１８】
ボリンジャーバンド：ラインが移動平均の上のおよびその移動平均より下の、および移動平均自体の２つのプロットされた標準偏差であるテクニカル分析技術。標準偏差が変動率を測定するので、これらのバンドは増加した変動率中により広く、減少した変動率中により狭くなる。ある技術アナリストは、買い過ぎるために上層バンドに近づく市場、および売り過ぎるためにより低いバンドに近づく市場を考慮する。
【００１９】
ピップ（ＰＩＰ）：与えられた為替レートが作ることができる最も小さな価格変動。ほとんどの主要な通貨ペアが４つの小数位に値をつけられるので、最も小さな変動は最後の小数点のそれである―ほとんどのペアについては、これは、１パーセントのｌ／１００の等価物、または１つのベーシス・ポイントである。例えば、米ドル／カナダドルの通貨ペアが生じさせることができる最も小さな動きは、０．０００１ドル、または１つのベーシス・ポイントである。通貨で最も小さな動きは、１つのベーシス・ポイントと必ずしも等しい必要があるとは限らない。しかし、これは一般にほとんどの通貨ペアのケースである。
【００２０】
ピボット／ピボット・ポイント：特別の株の高値、安値および終値の数の平均の計算により派生したテクニカル分析指標。ピボット・ポイントは予測的なインジケータのように用いられる。翌日の市場価格がピボット・ポイントを値下がる場合、それは新規の売り支え値として用いられてもよい。反対に、市場価格がピボット・ポイントを値上がる場合、それは新規の買い支え値として働いてもよい。
【００２１】
相対力指数（ＲＳＩ）：その期間にわたる損失の振幅と所定時刻期間に対する利益の振幅を比較するテクニカル分析インジケータ。方程式は、ＲＳＩ＝１００−１００／（１＋ＲＳ）であり、ここで、ＲＳ＝（全収益／ｎ）／（全損失／ｎ）であり、ｎ＝ＲＳＩ期間の数である。値は１〜１００まで変動することができる。ある技術アナリストは、３０以下の値が売り過ぎる状況を示し、７０以上の値が買い過ぎる状況を示すと考える。
【００２２】
確率的（ストカスティック）：価格が増加する（あるいは減少する）ように、終値は所定周期の間高値（あるいは安値）に常により緊密に集積する傾向があるという確信に基づいたモデル。
【００２３】
証券の値動き（Ｔｉｃｋ）：ここで使用するように、例えば、１つの証券の値動きは１つの完了した処理であり、５つの証券の値動きは５つの完了した処理などに当てはまる。
【発明を実施するための最良の形態】
【００２４】
複数の時間枠アラインメントの概念
株、商品、指数、通貨または金融市場デリバティブ（売買可能な証券または「マーケットビークルズ」と総体として呼ばれた）について、価格の変動および物価変動は、相場が強気または相場が弱気の動向であると識別できる表面上の動向と同様に内面的な（組み込まれた）動向も生じる。動向は、分（例えば：  ５分、６０分、４００分、デイリー、ウィークリー、イヤリー、など）の任意の複式への１分まで１つの証券の値動き（１つの処理）からの様々な歴史上の時間枠上で評価されてもよい。様々な歴史上の時間枠の個々の動向の始値、終値、高値および安値の評価は、評価された各時間枠に関する設定された動向ラインまたは波形を生成するだろう。各波形は、相場が弱気の動向（価格は低下している）、または相場が強気の動向（価格は上昇している）のいずれかを示すだろう。複数の時間枠内の波形、いくつかまたはすべての相場が強気（買い圧力）あるいはいくつかまたはすべての相場が弱気（売り圧力）の間で、傾き協約は買いまたは売り場として認めることができる。好ましくは、遷移点（買い圧力と売り圧力の関係のリバーサル）で生じる、以下アラインメントと呼ばれる協約は、大幅な買いまたは売り場を表わす（少なくとも本明細書において少なくとも１つの前の時間枠と比較された当該第１の判定から当該「大小関係」の第２の判定を具体化すること、当該第１判定とそのように第２の判定との間の当該「大小関係」の任意のリバーサルを識別すること；少なくとも本明細書において当該任意のリバーサルの当該少なくとも１人のトレーダーへの通知を具体化すること；そして少なくとも本明細書において当該通知は当該１人のトレーダーによる当該意志決定を最も支援するために用いられてもよいことを具体化すること）。以下、新規のクロスと呼ばれる転移点は、マーケットビークル用の始値、終値、高値あるいは安値の支配的な動向（相場が弱気か相場が強気である）が方向を逆転するポイントである。
【００２５】
本発明の好ましい実施例によれば、アラインメントは、新規の組み込まれた動向または表面上の動向のいずれかの初めの真のリバーサルの複数の確認を表わす。好ましくは、アラインメントは、１分から１年までの２つ以上または中間の分の任意の複式の時間枠のための、すべての相場が強気の波形またはすべての相場が弱気の波形のいずれかのために行うことができる。好ましくは、グルーピングは、アラインメント内のより小さな時間枠からより大きな時間枠への動向と数を識別する。アラインメント内の異なる時間枠のより多くの波形は、好ましくは動向の強度を示し、それは、相場が強気の波形のための買い圧力および相場が弱気の波形のための売り圧力として解釈することができる。好ましくは、アラインメント内の多くの時間枠の強化はより強い動向またはより多くの圧力もしくは波形のより多くの強度を示す。アラインメント内の多くの時間枠を減少させることは、より少ない強い波形およびしたがってより少ない圧力を示す。好ましくは、アラインメント内のより長い時間枠は、アラインメント内の単に短い時間枠より、動向の実際の方向のよりよい見込みを示す。しかしながら、当該アラインメントのいくつかのもののシーケンスの審査は、好ましくはより大きな波形へのより小さな相場が強気または相場が弱気の波形の移動を示すことができる。２つ以上連続するアライメントパターンの検証は、好ましくはどちらかの方向のさらなる確認に相場が強気または相場が弱気の波形を与える。これを知ると、これらのシーケンスが弱まるか、反対のタイプの波形により断ち切っているまで、トレーダーはトレードでとどまることができる。反対のタイプの波形の存在は、好ましくは取引内の出口を示すことができる。これで、トレーダーは、「ノイズ」または擬似信号を回避する間に、とどまるまたは信用してトレードを終了することを可能にする。
【００２６】
好ましくは、任意の相場が強気または相場が弱気のバイアスも、価格行動および今後の確認に先行することに基づく。相場が強気から相場が弱気への波形形成は、直前のトランジションまたはリバーサルポイント（新規のクロス）からのある時間枠のための相場が強気の波形の進行の後に開始する。相場が強気の波形は弱まり始め、市場の不決断ポイントにおいては、それらには相場が弱気の波形での平衡がある。不確かな時代などのような実物市場状態で、不決断は存在し、それらで相場が強気・相場が弱気の波形バランスの時間を計る。好ましくは、相場が弱気の波形の増加する強度は、売り圧力によって形成された付加的な相場が弱気の波形のアラインメントによって示される好ましくは、新規のリバーサルポイントは、時間枠を変更するためのいくつかの波形がアラインメント中であることを実証して、確認される（新規のクロス、新規の買いまたは売り信号）。好ましくは、アルゴリズム（相場が弱気で・相場が強気の）への対外価値のあるイベントインタージェクション（下記の説明を参照）は、新規のクロスを生じるために必要とされてもよい。好ましくは、相場が強気から相場が弱気への不決断ポイントの後に、さらに相場が弱気の波形は相場が弱気の確認に必要である。
【００２７】
アルゴリズムの方式
マーケットビークルのための実時間データフィードとして受けられた、特別のマーケットビークルの始値、終値、高値、安値などのような変数は、任意の特別の時間枠（１分から１年まで（当該１つの売買可能な証券に関連する歴史上の時間に関連する取引データを受信することを、少なくともここに具体化する））のために評価されてもよい。好ましくは、リアルタイムで、ＸとＹ軸に対する少なくとも１行の買い圧力ライン（主として緑）および少なくとも１行の売り圧力ライン（主として赤）の評価認可プロッティングの結果（実質的にリアルタイムで、必要な計算の実行のために少なくとも１つのコンピュータ・ベースのプログラムを利用することを少なくともここに具体化すること；また、実質的にリアルタイムで、少なくとも１人のトレーダーとの通信のための少なくとも１つのコンピュータ・ベースのプログラムの利用を少なくともここに具体化すること）。好ましくは、２つの分離したアルゴリズムが、プロットされるためにラインを判定するために用いられる。
Ｖ１：赤色ラインとしての売り圧力リアルタイムプロット（少なくとも第１の計算として、歴史上の時間関連する取引データを時間枠の少なくとも１つの複数に用いる少なくとも１つの売買可能な証券を売る当該歴史上の集合的な願望を表わす少なくとも１つの第１の時間に関連する値を計算することを、少なくともここに具体化すること）。
Ｖ２：緑色ラインとしての買い圧力リアルタイムプロット（少なくとも１つの第２の計算として、時間枠の少なくとも１つの複数のための当該歴史上の時間関連する取引データを用いる少なくとも１つの売買可能な証券を買う当該歴史上の集合的な願望を表わす少なくとも１つの第２の時間に関連する値を計算することを、少なくともここに具体化すること）。好ましくは、両方のアルゴリズムは、特別の時間枠のためのマーケットビークルの始値、高値、安値、終値に基づいた数式を用いて、独立してまたはある変動要素および定数を備えた組み合わせの中で、生成される。例えば、好ましくは、始値および終値は、指数として自然なログ機能を用いて、時間枠の任意数の平均に用いられてもよい。この明細書の教示を読む際、当業者は、市況データなど稼動率などのような問題を考えれば、適切な状況の下で、ここでそれを理解し、例えば呼値などの稼動率のような他の配置、他の動向算定方式は十分かもしれない。両方のアルゴリズムと、特別の時間枠の中でそれらが新規のクロス（すなわち新規の転移点）をどのように生成することができるかの好ましい関係の一例は、図１、図２および図３の中で示される。（当該少なくとも１つの時間枠のための少なくとも１つの第１の時間に関連する値の少なくとも当該の第１の図形表現の生成を少なくともここに具体化し、およびに当該少なくとも１つの時間枠に対する当該少なくとも１つの第２の時間に関連する値の少なくとも１第２の図形表現の生成を少なくともここに具体化し；また比較分析に関連する少なくとも１つのシステムを提供して、当該少なくとも１つの第１の図形表現および当該少なくとも１つの第２の図形表現は、少なくとも１つの比較分析チャートの中で共同で提供されることを少なくともここに具体化すること）。相場が強気・相場が弱気の動向のためのＶ１およびＶ２の両方の好ましい基本的な動きは、図４に示される。図４に示されるように、相場が強気の動向は、Ｖ１の上のＶ２および相場が弱気の動向のためのリバースによって示される（当該少なくとも１つの時間枠のための時間枠の少なくとも１つの複数を買う当該歴史上の集合的な要求と売る当該歴史上の集合的な要求との間で、少なくとも１つの「大小関係」第１の判定を作る少なくとも１つの売買可能な証券を買うための当該歴史上の集合的な要求に、当該少なくとも１つの売買可能な証券を売る当該の歴史上の集合的な要求を比較することを少なくともここに具体化する）。
【００２８】
好ましくは、Ｖ１とＶ２の特性および動作を評価すると、強気または相場が弱気の動向のいずれかの終わりまたは始まりを予測することを可能にする。好ましくは、Ｖ１とＶの２は、両方とも図４に示される特性を達成するためにいくつかの変動要素を備えた始値または終値により生成されてもよい。
【００２９】
好ましい定義
ＦＸインジケータ：ＦＸインジケータは緑色ライン（Ｖ２）、赤色ライン（Ｖ１）および緑色ドット（Ｖ４）、および赤色ドット（Ｖ３）をプロットすることを好ましくは含んでいる。ＦＸインジケータの公式は、好ましくは、動向、相場が強気、相場が弱気、またバウンスおよびマーケットビークルのための新規のクロスを判定する。好ましくは、市況データ値の各新規のセットが受けられるように、Ｖ１、Ｖ２、Ｖ３およびＶ４アルゴリズムは再計算され再プロットされる。
【００３０】
バウンス：収斂し、交差せず、次に分離する赤色および緑色のインジケータ（Ｖ１およびＶ２、またはＶ３およびＶ４のいずれか）。赤色・緑色のインジケータは、収斂入力の指定されたパーセンテージ内に収斂する。赤色・緑色のインジケータ値は、等しいが交差することができない。一旦収斂パーセンテージに、またはそのパーセンテージの内に移った後、値が収斂パーセンテージを超過すれば、バウンス信号は好ましくは引き金となる。
【００３１】
新規のクロス：いずれかの方向の赤色がクロスする緑色のインジケータ（Ｖ１およびＶ２、またはＶ３およびＶ４のいずれか）。
【００３２】
Ｖ−２インジケータ：それとしてのＦＸインジケータの簡略版は、好ましくは単にＶ１とＶ２のためのプロットラインを提供する。Ｖ１とＶ２のアルゴリズム値を用いて、好ましくは、Ｖ−２インジケータは、売買する実時間同定の機会、動向の方向、およびマーケットビークルの値方向の可能なリバーサルを可能にする。好ましくは、それは売買信号を生成する際にインジケータとして多くの方法で働く。Ｖ１とＶ２の関係のためは図１、図２、図３を、Ｖ１とＶ２に基づくより多くの物に関しては図１５を参照する。
【００３３】
図５、図６、図７および図８を参照すると、Ｖ−２インジケータのある好ましい特性は次のとおりである。
ΔＶ１  −  直前の時間枠からのＶ１の変動；直前の時間枠からのＶ１の変動の減少（それほどポジティブでない）、直前の時間枠からのＶ１の変動の減少（それほどポジティブでない）、直前の時間枠からのＶ１の変動の減少（それほどポジティブでない）、直前の時間枠からのＶ１の変動の減少（それほどポジティブでない）、ポジティブ。
ΔＶ２  −  直前の時間枠からのＶ２の変動；直前の時間枠からの減少（それほどポジティブでない）；直前の時間枠からのＶ２の変動の減少、直前の時間枠からのＶ２の変動の増加（それほどポジティブでない）、減少（よりポジティブ）。
ΔＶ１／ΔＶ２  −Ｖ−２比率は減少するあるいはそれほどポジティブでない、増加する、減少するあるいはそれほどポジティブでない、増加する。動向変動のためのより安値より多くの機会。
クローズ  −  Ｖ２：より多くのネガティブ、より少ないネガティブ、ネガティブからポジティブへ。
クローズ  −  Ｖ１：より少ないネガティブ（ネガティブからポジティブへ）、より多くのネガティブ。
（Ｖ１−Ｖ２）：ポジティブな値からネガティブになり、ネガティブな値からポジティブな値になり、クロスの方へそれほどポジティブでなくなり、あるケースのみ直前の時間枠およびネガティブと比較して、それほどネガティブでなくなる。
【００３４】
Ｖ−２強度：好ましくは、買いまたは売り圧力の強度は、直前の時間枠と比較された現在の時間枠内のＶ１およびＶ２の値の違いによって測定することができる。例えば、弱気市場において、Ｖ１（弱気）およびＶ２（強気）の調整可能な要因は、好ましくは直前の時間枠内の選択された値と比較して、ネガティブなままである。逆方向のＶ１およびＶ２の値の中の急変動は、動向の可能な継続を示す。
一旦動向がネガティブ方向で解決すれば、Ｖ２の値は加速する。
【００３５】
Ｖ−４インジケータ：好ましくは、アルゴリズムの別のセットは、リアルタイムにおいて、およびＶ２とＶ１のリアルタイムプロット（すなわちＶ−２インジケータのまわりに）と共にプロットすることができる（当該少なくとも１つの第３の図形表現および当該少なくとも１つの第４の図形表現が、当該少なくとも１つの比較分析チャートの第１の図形表現および少なくとも１第２の図形表現と共同で少なくとも各々が提供されることを少なくともここに具体化すること）。好ましくは、これらのアルゴリズムは、リアルタイムで、直前の時間枠に関しての特別の時間枠内の高値（緑色ドットによって表されるようなＶ４）の状況、および安値（赤色ドットによって表されるようなＶ３）において反映する（当該少なくとも１つの時間枠のための時間に関連する少なくとも１つの第３値を計算することを少なくともここに具体化し；当該少なくとも１つの第３の時間に関連する値は、当該少なくとも１つの時間枠の当該のための少なくとも１つの売買可能な証券に払われた少なくとも１つの安値に基づくことを少なくともここに具体化し；当該少なくとも１つの時間枠のための少なくとも１つの第４の時間に関連する値の計算を少なくともここに具体化し；当該少なくとも１つの第４の時間に関連する値は、当該少なくとも１つの時間枠のための少なくとも１つの売買可能な証券に払われた少なくとも１つの高値に基づくことを少なくともここに具体化し；当該少なくとも１つの時間枠のための少なくとも１つの第３の時間に関連する値の少なくとも当該１つの第３の図形表現を少なくとも生成することを少なくともここに具体化し；当該少なくとも１つの時間枠のための少なくとも１つの第４の時間に関連する値の少なくとも当該１つの第４の図形表現を少なくとも生成することを少なくともここに具体化すること）。好ましくは、より強い売り圧力が存在する時、Ｖ４緑色ドットの位置は、Ｖ２緑色ライン未満になり、より強い買い圧力が市場内の存在する時、Ｖ２緑色ライン以上になる。より強い売り圧力が存在する時、Ｖ３赤色ドットの位置はＶ１赤色ライン上にあり、より強い買い圧力が市場内の存在する時、Ｖ２緑色ライン未満になる。動向のリバーサルまたはクロスにおいては、Ｖ３赤色ドットおよびＶ４緑色ドットの位置が、互いの上で、または角度（角度のための異なる種類の度合い）で逆にされる。ドットに関するより多くの説明に関しては、下記のドット理論を参照する。Ｖ−２インジケータ表現の一例に関しては、図９および図１０を参照する。様々な商況下の、Ｖ１、Ｖ２、Ｖ３およびＶ４の動作は、図１５で提供される。
【００３６】
図１１、図１２、図１３および図１４を参照すると、Ｖ−４インジケータのある好ましい特性は次のとおりである。
ΔＶ３  −  直前の時間枠からのＶ３の変動；直前の時間枠からのＶ３の変動の減少（それほどポジティブでない）、直前の時間枠からのＶ３の変動の減少（それほどポジティブでない）、直前の時間枠からのＶ３の変動の減少（それほどポジティブでない）、直前の時間枠からのＶ３の変動の減少（それほどポジティブでない）、ポジティブ。
ΔＶ４  −  直前の時間枠からのＶ４の変動；直前の時間枠からの減少（それほどポジティブでない）；直前の時間枠からのＶ４の変動の減少、直前の時間枠からのＶ４の変動の増加（よりポジティブ）、減少（それほどポジティブでない）および折に触れ増加する。
ΔＶ３／ΔＶ４  −  Ｖ−４比率は増加するあるいはよりポジティブであり、減少する、折に触れ増加する、減少するあるいはそれほどポジティブでない。
クローズ  −  Ｖ４：直前の時間枠と比較された、より少ないネガティブ。折に触れより多くのネガティブ（より多くのネガティブ）。
クローズ  −  Ｖ３：それほどネガティブでなく（あるいはネガティブからポジティブへ）、よりネガティブ、よりポジティブ。
（Ｖ３−Ｖ４）：ポジティブな値からネガティブになり、ネガティブな値からポジティブな値になり、クロスの方へそれほどポジティブでなくなり、あるケースのみ直前の時間枠およびネガティブと比較して、それほどネガティブでなくなる。
【００３７】
Ｖ−４強度：買いまたは売り圧力の強度は、好ましくは直前の時間枠と比較して、両方の値（Ｖ３とＶ４）の違いによって測定することができる。好ましくは、弱気市場において、Ｖ３（弱気）およびＶ４（強気）の調整可能な要因は、直前の時間枠内の選択された値と比較して、ネガティブなままである。好ましくは、方向の逆転におけるＶ３とＶ４の値の急変動は、動向の可能な継続を示す。好ましくは、一旦動向がネガティブ方向で解決すれば、Ｖ４の値は加速する。
【００３８】
Ｖ−４強度およびＶ−２強度は、好ましくはさらに付加的な確認のために比較することができる。
【００３９】
イベントインタージェクション技術
好ましくは、イベントインタージェクション技術は、相場が強気の波形から相場が弱気の波形へ、または相場が弱気の波形から相場が強気の波形へのいずれかの変換で合成クロスを生成するために用いられる。任意のマーケットビークルのライブ取引で正確なエントリーを作るために、一旦圧力が減少するか増加すれば、ある外部変数のインタージェクションは、相場が強気の波形から相場が弱気の波形までの変換の場合の最高点で、または相場が弱気の波形から相場が強気の波形まで変換の場合には正確に最低点で、Ｖ１とＶ２の両方の値が新規の合成クロスを正確に作るために好ましくはなされてもよい。好ましくは、外部変数のインタージェクションも、相場が強気から相場が弱気への変換の場合には、または第２の時間枠の終値または始値の第１のリバーサルで、高点から第１の時間枠の終値または始値の第１のリバーサルで合成クロスを作るために用いられてもよい。好ましくは、外部変数のインタージェクションは、相場が弱気から相場が強気の波形への変換に同様に適用されることができる。好ましくは、外部のインジェクションのない変換で自然なリバーサルによって生成された新規のクロスも、「自然なクロス」と称されていてもよいが、これらの表面上のインジェクションによって生成された新規のクロスも「合成クロス」と称されてもよい。ここで、新規のクロスおよび自然なクロスの用語は交換できて使用される。
【００４０】
合成クロスの中で最も大きな利点は、ピンポイントに従来のチャーティングパターンを備えた確認のエントリーである。この技術は利益を低下させるかもしれないが、自然なクロスを用いるほど非常に危険ではない。多くのチャーティングツールおよびそれらのリバーサル確認ポイント内の従来の反転パターンは、合成クロスを単にプロットすることにより好ましくは置き換えることができる。
【００４１】
対してプロットすることができ、それは、相場が強気の波形のための高値または相場が弱気の波形用の安値を有した第１の時間枠からの第１、第２または第３の間隔のいずれかになりえる。好ましくは、これはすべての波形、組み込まれた動向および戻しに当てはまる。
【００４２】
買い圧力の確認は落ち、伝統的方法またはパターンによるクロスは新規の相場が弱気のクロスと呼ばれてもよい。買い圧力の確認は落ち、外部変数インタージェクションによるクロスは合成弱気クロスと呼ばれてもよい。売り圧力の確認は落ち、伝統的方法またはパターンによるクロスは新規の相場が強気のクロスと呼ばれてもよい。売り圧力の確認は落ち、外部変数インタージェクションによるクロスは合成の相場が強気のクロスと呼ばれてもよい。
【００４３】
好ましくは、自然なクロスおよび合成クロスの両方は示すことができるか、または事態を単純にしておくために、すべてのクロスを新規のクロスまたは相場が強気のクロスあるいは相場が弱気のクロスとして認めることができる。好ましくは、合成クロスはＶ−２インジケータおよびＶ−４インジケータ上のクロスの比較および従来のバーチャートおよびキャンドルチャートの試験により見つけることができる。図１６および図１７を参照。
【００４４】
エントリーと出口の信号を生成するために適切なアラインメントを用いる
好ましくは、第１の３つの相場が弱気あるいは相場が強気の新規のクロスのアラインメントは、すべてプリワーニングとして最終アラインメントに用いることができ、従来のチャートの中で有色の棒、キャンドルまたはラインとして示すことができる。好ましくは、少なくとも４つの当該時間枠のアラインメントが生じるまで、これらの棒／キャンドル／ラインは多重に見える場合がある。好ましくは、第４の時間枠のアラインメントにおいては、信号は５分の時間枠上のエントリー信号として変形されるだろう。好ましくは、トレーダーには、アラインメントのための２、３、４、５、６以上のような複数の時間枠の任意の組み合わせも選ぶオプションがあり、任意の分の時間枠の選択のために有色の棒を用いることができる。図１９および図２０を参照。
【００４５】
好ましくは、５分の時間枠のエントリー信号を選択したことは必要ではない。好ましくは、トレーダーは、１０、１５、３０、４５、６０または１分の複数の任意の組み合わせまたは１つの証券の値動き（１つの処理）を用いることができる。好ましくは、例えば、トレーダーは、３０、１８０、４８０、デイリーのような時間枠の設定数を選択し、信号を生成するために３０分の時間枠上のアラインメントを得てもよい。好ましくは、アラインメントのために有することができる無限の組み合わせがある。好ましくは、複数の時間枠のための各アラインメントイベントは、相場が強気の状況または弱気市場状況のいずれかへの入力として最終アライメント信号を考慮に入れる前に教育目的のための解説形式で提供することができる。図１９および図２０を参照。
【００４６】
３つの時間枠のアラインメントが生じて、トレーダーが最終の買いあるいは売り信号を待っている場合、好ましくは、トレーダーは、従来のキャンドルチャート上で好ましくはくぼんだキャンドルまたは充填されたキャンドルを用いることにより、内面的な売り買い（５分の時間枠により買いか売りの活動）技術を用いることができる。アラインメントの相場が強気のクロスの場合には、キャンドルが、好ましくは相場が強気のアラインメントがある場合にでさえ、内面的な販売業務の証拠を示すために充填された緑キャンドルとして出現することができる。好ましくは、解説とアラインメントを用いる場合、トレーダーはそれらの時間枠を赤色で見ることができる（下記の解説およびアラインメントを参照）。好ましくは、同じロジックは相場が弱気のアラインメントに当てはまる。トレーダーは、好ましくはアラインメントの前に好きなサインとして充填されたキャンドルを用いて空の赤色のキャンドルを回避し、内面的な仕入れ解説およびアラインメントを見つけることができる。
【００４７】
好ましくは、全履歴は、時間枠をすべて含む解説、現在選択された時間枠、波形（相場が強気か相場が弱気の）のタイプ、現在の波形以来のどれだけの時間枠がスタートしたか、時間、新規のクロスのマーケットビークルの値、現在のステータス、始値、終値、高値または安値、および新規のクロスが起こった時の中で提供することができる。好ましくは、トレーダーは、この履歴の任意の時間枠もカスタマイズすることができる。好ましくは、トレーダーは、特別のマーケットビークル、または複数のマーケットビークルズのための様々なアラインメントでクリティカルパス分析（アラインメントのためのクリティカルパス法を参照する）の結果を利用することができる。アラインメントと市場の位置のサンプル履歴については、図１７Ａを参照。
【００４８】
アラインメントを用いるマーケット・タイミングのアプリケーション
好ましくは、新規の相場が強気か相場が弱気の波形の初めに形成された新規のクロスは、始値、終値、高値、安値で、異なる時間枠から用いることができ、複数の時間枠（２以上）および微細な新規の５つのクロスと一直線に並ぶことができる。その後、好ましくは、最終のアラインメントイベント（相場が強気か相場が弱気である４つの新規のクロス）は、マーケットビークル内の相場が強気か相場が弱気のバイアスのエントリー信号として５分の棒またはキャンドルの上の信号として転送することができる。好ましくは、最終アラインメントはキャンドル、棒、ラインなどのような緑色か赤色の矢印または任意の従来のチャート法上の選択の任意のシンボルとして示すことができる。アラインメントの一例に関しては図１８を参照し、アラインメントおよび５分のエントリー信号の一例に関しては図１９、図２０及び図２０Ａを参照。
【００４９】
アラインメントと解説
好ましくは、特別のマーケットビークルのためのアラインメント履歴は、専門家の解説（下記に述べられるように）を用いることにより解説の型で与えることができる。好ましくは、専門家の解説は、よりよく彼／彼女自身を教育するのと同様に、エントリーと出口の信号に関するよりよい判断を下すトレーダーを助けることができる。好ましくは、すべての時間枠のための新規のクロスの立場は論評され、最良の利用可能なオプションは選択されており、専門家の解説を用いて、トレーダーに提示される。好ましくは、アラインメントの準備ができている２つ以上の時間枠が最短のものからより少ない危険なエントリーを生成する最長の時間枠まで整えたと自動的に示すことができる。好ましくは、トレーダーは、アラインメントを生成するためにあらかじめ選択された時間枠を選んでもよいが、これはより少数の機会およびより安値利益を生じるだろう。好ましくは、自然なアラインメントは十分な機会およびリアルタイムのより少数のトレードを提供する。また、好ましくは専門家の解説は、別の時間枠内の可能な限り近い新規のクロスを見た後にアラインメントに利用可能になりえ、最もありそうな時間枠を選択することができ、解説セクションの中でそれを要注意リストに載せることができる、最も小さな時間枠を認識することができる。
【００５０】
アラインメントで生成されたアラインメントと信号の概念も、好ましくはバーチャート、ラインチャート、キャンドルチャートなどのように従来のチャーティング方法上で用いることができる。アラインメントを備えたバーチャートの使用の一例に関しては図２２および図２３を参照。好ましくは、図２１および図２４に示されるように、アラインメント概念も、Ｖ−２、Ｖ−４、デイトレーダーヘブン、および他のチャーティング方法およびレイアウトで用いることができる。
【００５１】
以下の解釈の一例は、好ましくは現在の専門家の解説およびアライメント方法を用いて、行うことができる（相場が弱気のアラインメントの一例に関しては図１９を参照し、相場が強気のアラインメントに一例に関しては図２０を参照）。
「信号アラインメントは形成している。相場が強気のクロスが少なくとも３つの異なる時間枠内で生じた。
ベースライン時間枠は４８０分（最も強い）である。この時間枠は価格行動の概観を提示するために用いられる。より短い時間枠は、このベースライン図のマイナーな動きおよび戻しと見なすことができる。
動向時間枠は３６０分（より強い）である。この時間枠は、ベースライン内のマイナーな動きの支配的な動向を示す。（組み込まれた動向）。
検証時間枠は１８０分（強い）である。この時間枠は動向の第２のオプションとして用いられる。それは動向を確認し、また、ターゲットの時間枠のためのベースラインとして機能する。
５分の目標時間枠内の同じ信号を待つ。（有効エントリー）」
【００５２】
好ましくは、上述のアラインメントにかかわらず、すべての新規のクロスで、またはその後で、別の信号は、従来の棒、キャンドルまたは有色の承認の形（相場が強気の動きのために）および異なる色の拒否の形（相場が弱気の動きのために）をしている他のタイプのチャート上で与えられる。好ましくは、このシンボルは中間のエントリーをとるためにあるいは既存のロットを加えるか取り外すために用いられてもよい。これらの承認あるいは拒否はまた、ベースライン／動向時間または検証時間枠以内の戻しを示すために用いることができる。最も強い波形のアラインメントを認識し、次に、深部ドローダウンを回避する最も小さな時間枠から入ることは思慮深い。
【００５３】
好ましくは、アラインメント概念は、次のように様々な時間枠当該の任意の前もって定義した組み合わせで用いることができる：５分のエントリー信号による１８０分、７２０分、ウィークリーおよびマンスリー。好ましくは、上述の概念は、トレーダーが任意の与えられた時間でも発展するとして小さいか大きい任意の波形にも乗るのを可能にすることを構築する波形の自然な発生に基づく。このようなケースは、より少数の買いまたは売り信号を生成してもよいが、重みが加えられた売買信号を示してもよい。重みが加えられたアラインメントにおいて、トレーダーは、ことが起こるのを待機しなければならず、そしてそれはトレーダーに迅速なエントリー機会を逃させるかもしれない。アラインメントにより用いられてもよい売り信号の選択の一例に関しては図２５を参照。アラインメントにより用いられてもよい買い信号の選択の一例に関しては図２６を参照。
【００５４】
いくつかの通貨ペアマーケットビークルのための市場概況のディスプレイ一例を示す図２６Ａを参照する。いくつかの異なる個々の通貨ペア（あるいは任意のマーケットビークルエレメント）のための市場概況は、好ましくは分または証券の値動き（処理）の任意の選択された複式の中で異なる時間枠を示すことにより、新規のクロスを用いて生成することができる。この広いビジュアル化は、様々な異なるマーケットビークルズのための異なる時間枠チャートを試験する必要を好ましくは省く。好ましくは、調査機能を用いる場合、警戒体制は様々なマーケットビークルズのために生成し概説することができる。これは制度上のトレーダーのための巨大な定期預金でありえる。現在のロボット工学を用いると、好ましくは、トレーダーは、売買信号を複数のマーケットビークルズ、およびそれらのエレメント（米ドル−スイスフラン、豪ドル−ニュージーランドドル、米ドル−日本円などの通貨のペアと呼ばれるエレメントであり、各ペアはマーケットビークルのエレメントである）に用いることができる。同じロジックはある調節の後に任意のマーケットビークルのために適用することができる。
【００５５】
始値、終値、高値または安値のいずれかあるいは４ついずれかの組み合わせもしくはそれ以上を用いて、２つ以上の時間枠のための新規のクロス（相場が強気か相場が弱気の）が整列する場合、既存のアラート信号技術、好ましくは任意の買いのための警戒体制または売信号を用いることは生成されることができる。好ましくは、信号は、新規のアラインメントの前およびそのアラインメントにおいて、電子メール、ページャ、または携帯電話を介して送信することができる。好ましくは、デイリー、クォータリー、またはイヤリーの時間枠で新規のクロスがウィークリー上で形成されるか整列する場合、アラート信号他のアラートを用いることは、金色の棒（リバーサル棒および金色の棒理論を参照）のように生成することができる。好ましくは、それは実用的であり、これらの概念の任意のものを用いてアラートを設計するのにおあつらえである。
【００５６】
付加的な理論
Ｖ−２インジケータ、Ｖ−４インジケータ、アラインメント、新規のクロスおよび合成クロスと組み合わせて、以下の理論はトレーダーへの支援になりえる。
ドット理論
リバーサル棒および金色棒理論
リアルタイム変動バー理論（困難なピボットへの変動のピボット）
ＦＸピボット理論
変動率理論
デイトレーダーヘブン、変動トレーダーヘブン、短期トレーダーヘブンまたは長期トレーダーヘブン理論（ＦＸ全目標とも呼ばれる）
アラインメントのためのクリティカルパス法
【００５７】
ドット理論
任意のマーケットビークルも用いると、好ましくは、パターンは発展することができる。また、４つの値、２つの相場が強気でおよび２つの相場が弱気を用いることによると同様に、重要なリバーサルは視覚的に識別することができる。例えば、様々なＶ４緑色ドットとＶ３赤色ドットの間の隔たりは、さらに買いまたは売り圧力の強度を示すことができる。以前に論じられるように、Ｖ１緑色ライン、Ｖ２赤色ライン、Ｖ３赤色ドット、およびＸとＹ軸に対して、好ましくはプロットされたＶ４緑色ドットの組み合わせであるＶ−４インジケータは、任意のマーケットビークルのためのエントリーと出口のポイントを示すために用いることができる。Ｖ−４インジケータは、通貨、ストックのためのＳＴインジケータ、投資信託のためのＭＵインジケータ、商品（インデックスのためのＩＮＸインジケータ）のためのＣＯＭインジケータ用にＦＸインジケータと呼ばれてもよい。実際、任意のマーケットビークルも同じ概念を用いて、同様の名前を与えることができる。Ｖ１とＶ２によって生成された新規のクロス、およびＶ１とＶ２のラインと比較したＶ３とＶ４のドットの位置は、好ましくは実際の売買の詳細な証拠に特別の時間枠内の圧力を与えることができる。その後、ＸとＹ軸へのＶ１およびＶ２をプロットした後に生成された新規のクロスは、好ましくは以前に記述されるようなアラインメントを識別するために用いることができる。好ましくは、新規のクロスにおいては、Ｖ４ドットおよびＶ３ドットのオーバーラッピングが市場の不決断を示している一方、逆にするＶ４ドットおよびＶ３ドットの位置はリバーサルポイントを識別する。Ｖ４またはＶ３ドットのいずれかに示された４つの値（２つの相場が強気、２つの相場が弱気）を、さらに迅速なエントリーおよび出口を発見するために好ましくは用いることができ、独立してまたはクロスもしくは他のパターンを備えた組み合わせの中で用いることができる。一例に関しては図２８および図２９を参照。
【００５８】
リバーサル棒および金色棒理論
好ましくは、有色の棒は、ＦＸ（通貨市場）、ＳＴ（株式市場）、ＭＵ（投資信託市場）、ＣＯＭ（商品）、ＩＮＸ（指数）のためのいくつかの分岐点で、キャンドルチャート、従来の棒または他のチャートを用いて加えることができる。これらの分岐点は、好ましくは、ドットパターンに基づいたエントリーと出口を識別する始値、終値、高値、安値、および任意にＦＸトレーダー変動率（変動率理論を参照）を用いる重要なリバーサルである。好ましい公式は、棒（あるいはキャンドルチャート上のキャンドル）（それは金色の棒（相場が弱気のリバーサルインジケータ）および緑青色の棒（相場が強気のリバーサルインジケータ）として表示することができる）を作るために、始値、高値、安値、終値および変動率を注視する。
【００５９】
下記は、相場が弱気のリバーサルのための金色の棒または相場が強気のリバーサルのための緑青色の棒を表示する好ましい公式である。金色／緑青色の棒は、動向内の突然のリバーサル、突然の買い／売りの表示、動向のスローダウン、連結の表示または連結からの中休みを示すために好ましくは用いられる好ましくは、金色／緑青色の棒は、従来のキャンドルスティックチャートまたは棒チャートに関連して任意の市場のために用いることができる。好ましくは、それらはＶ−２とＶ−４のチャートを強化するために用いられてもよい。
【００６０】
好ましくは、Ｔ１が前時刻フレームで、Ｔ２が現在時刻フレームである場合、以下の相場が強気の状況が満たされる時、緑青色棒が表示される。
Ｔ２の始値  ＜  Ｔ１の始値
Ｔ２の高値  ＞  Ｔ１の高値（相場が強気の信号のための：Ｔ２の高値  ＞  Ｔ１の高値）
Ｔ２の安値  ≧  Ｔ１の安値
Ｔ２の終値  ＞  Ｔ１の終値
Ｔ２の変動率  ＞  変動率Ｔ１
【００６１】
好ましくは、Ｔ１が前時刻フレームで、Ｔ２が現在時刻フレームである場合、以下の相場が弱気の状況が満たされる時、金色の棒が表示される。
Ｔ２の始値  ＞  Ｔ１の始値
Ｔ２の高値  ≦  Ｔ１の高値
Ｔ２の安値  ＜  Ｔ１の安値
Ｔ２の終値  ＜  Ｔ１の終値
Ｔ２の変動率  ＞  Ｔ１の変動率
いずれのケースも、状況は通常リバーサルである。
【００６２】
１．２、１．５などの因数は、相場が強気か相場が弱気の波形の強度を評価するために変動率に適用することができる。例えば、
Ｔ２の変動率＝１．２×Ｔ１の変動率→小量の売り注文
Ｔ２の変動率＝１．５×Ｔ１の変動率→大量の売り注文
【００６３】
１．２、１．５などの因数は、緑青色の棒の強度を示すことができるＴ２の高値に適用することができる。例えば、
Ｔ２の高値＝１．２×Ｔ１の高値→やや相場が強気
Ｔ２の高値＝１．５×Ｔ１の高値→非常に相場が強気
【００６４】
好ましくは、任意の時間枠の始値、高値、安値、終値を用いて、上述の公式は、重要なリバーサル、Ｖフォーメーション、Ｕフォーメーション、二重天井、二重底部などを発見するのを支援するために異なる方法で用いることができる。好ましくは、公式は、二重天井および相場が強気の動向の可能なリバーサルを判定するのを助長することができる。
Ｔ２の始値  ＜  Ｔ１の始値
Ｔ２の高値  ＝  Ｔ１の高値
Ｔ２の安値  ＞  Ｔ１の安値
Ｔ２の終値  ≦  Ｔ１の終値
Ｔ２の変動率  ≦  変動率Ｔ１
【００６５】
これらの棒が、好ましくはキャンドルまたは棒チャートのいずれかに出現する。これらの棒は、動向の遅れ、新規の動向の初め、連結、迅速なリバーサル、新規のイベント時間リバーサルを示す。また、それらは金融市場の減速バンプと同様に動く。より多くの例については、図２９、図３０、図３１、図３２および図４２を参照。
【００６６】
リアルタイム変動バー理論（困難なピボットへの変動のピボット）
好ましくは、ドット峰点（Ｖ４）および低点（Ｖ３）を用いると、リアルタイムスイングバーは、大勢ライン、中間の傾向ラインおよびライブピボット・ポイントの設立のために生成することができる。好ましくは、これらの棒の峰点および低点は、ピボットを変動させることとして参照することができる。好ましくは、同じものはＶ−２インジケータを用いて、ダイヤモンドをやめることができる。Ｖ−２インジケータおよびＶ−４インジケータと一致する、変動させるピボットは、それらの性質において非常に強力である。それは、単に適切な買い／売り判定を下す、よりよい見込みを生成することを、両方のインジケータの変動のピボットと一致する数時間枠を必要とする。好ましくは、Ｖ−２インジケータのための変動のピボットはＶ１とＶ２の値に基づいて、計算される。また、Ｖ−４インジケータのためのピボットを変動させることはＶ３とＶ４の値に基づいて計算される。好ましくは、他の要因およびパラメータは、所望された結果を得るために用いられてもよい。好ましくは、最後の信用供与枠は、常にリアルタイム信用供与枠であり、それは常に変動である。好ましくは、それは、直前の移動によって生成された最後の安定したピボットの後に新規の動向の方向を計画する。新規の方向が確立された時、新規の変動の各ピボットは、好ましくは安定したようになるだろう。従来のデイリーのピボットおよびアラインメントおよびＶ−４インジケータを用いて５分のチャートによって生成した売買信号とこれらのピボット・ポイントを組み合わせることは、好ましくは付加的なリジットエントリーおよび出口ポイント（複数の確認ポイント）を作ることができる。現在の技術を用いると、好ましくはライブ専門家の解説は様々な時間枠の中で当該ポイントの一般大衆についての説明を生成することができる。図３２Ａを参照。
【００６７】
ＦＸピボット理論
任意の時間枠のためのデイリーのピボット、６０分のピボットまたはピボットなどのようなピボットは、高値、安値、任意のマーケットビークルの終値を使用して計算することができる。好ましくは、Ｖ−４インジケータによって生成された複数のアラインメント確定信号を組み合わせて、Ｖ−２インジケータ、またはピボット計算を備えた金色の棒は、市場の相場が強気の側面または相場が弱気の側面のいずれかに非常に強力な信号を提供する。一例として、強気相場において、買い信号は、強い視覚的な買い信号を提供する重大な方法の検証の後にアラインメントによって生成される。好ましくは、エントリーは、デイリーのピボット・ポイントまたは所望されたピボット・ポイント、または第１または第２の売り支え値上にとどまった後になる。同じロジックは、相場が弱気のエントリーのための反対の方法にも適用する。この理論のアプリケーションからの収益は、任意のマーケットビークルと同様に任意の市場でも通常非常に有益である。好ましくは、５つの枢軸線または７つの枢軸線はエントリーまたは出口のポイントの位置を視覚化するためにＸとＹ軸と融合することができる。同じ元本は任意の特に生成されたピボットにより当てはまる。図３２Ｂおよび図３３を参照。
【００６８】
変動率理論
好ましくは、外国為替市場の変動率のためのインジケータは、１つの時間枠における変更、最近の５つの時間枠、最近の１０の時間枠または最近の２０の時間枠に基づいたピップ値の変更を加えることにより、任意の時間枠内のピップの変更に基づいて発展することができる（当該少なくとも１つの時間枠のための少なくとも１つの売買可能な証券の当該変動率を表わす少なくとも１つの第５の時間に関連する値の計算を少なくともここに具体化すること）。好ましくは、任意の時間枠のための契約規模に基づいたドル価値の変動もプロットすることができる（当該少なくとも１つの第５の時間に関連する値は、当該少なくとも１つの時間枠のための少なくとも１つの売買可能な証券に支払われた値の少なくとも１つの範囲に基づくことを少なくともここに具体化し；当該少なくとも１つの時間枠のための少なくとも１つの第５の時間に関連する価値の当該の少なくとも１つの第５の図形表現の生成を少なくともここに具体化すること）。特別の時間枠内の値の変化率は、外国為替市場の変動率の計算において非常に重要である。変動率の例については、図３４、図３５、図３６および図３７を参照。
【００６９】
相場が強気から相場が弱気への波形フォーメーションの例：
クロスにおいて：直前の時間枠からの変動率の値はほとんどの場合減少する。
クロスの後：変動率の値はクロスでの変動率と比較して増加する。
クロスの前：変動率の値は直前の時間枠と比較して減少する。
【００７０】
相場が弱気から相場が強気への波形フォーメーションの例：
クロスにおいて：直前の時間枠からの変動率の値はほとんどの場合増加する。
クロスの後：変動率の値はクロスでの変動率と比較してほとんどの場合減少する。
クロスの前：変動率の値は直前の時間枠と比較して減少する。
【００７１】
好ましくは、ボラティリティ価値は、Ｖ１、Ｖ２、Ｖ３およびＶ４の値と関係する。言いかえれば、両方のＦＸインジケータ（Ｖ−２とＶ−４）は４つのすべての値と関係する。来たる相場が強気か弱気の波形、連結、動向の遅れること、あるいは市場の不決断回のために予測がなされるのを、この関係が好ましくは可能にすることを知っていること。
【００７２】
デイトレーダーヘブン、変動トレーダーヘブン、短期トレーダーヘブンまたは長期トレーダーヘブン理論（ＦＸ全目標とも呼ばれる）
Ｖ−２インジケータ（簡易化されたＦＸインジケータ）を用いて、相場が強気・相場が弱気の波形の短期のアラインメントを利用するために、垂直線は、相場が強気のクロスおよび相場が弱気のクロッスを介して好ましくは描かれてもよい。緑色ライン（Ｖ２）がクロスの後に赤色ライン（Ｖ１）以上である場合、それは相場が強気のバイアスまたは相場が強気の波形信号として好ましくは解釈され、緑色の垂直線として示される。クロスの後、赤色ライン（Ｖ１）が緑色ライン（Ｖ２）以上である場合、それは相場が弱気のバイアスまたは相場が弱気の波形信号と好ましくは見なされ、赤色の垂直線として示される。トレーダーは、より小さな波形を回避し、したがって、まさにショートエントリーを回避することができ、その後、イベントとしてそれらをプロットしない、あるいは買いとしてそれらに札を付けない、あるいはゾーンを売る。好ましくは、トレーダーは５分から６０分のチャート上のアラインメントを待ち、次に、時間枠がすべて買いをしているか、ゾーンを売る場合に限り、トレードに加入してもよい。これは利ザヤ稼ぎをするかデイトレードすることを助長することができる。好ましくは、この概念は、任意の時間枠の組み合わせに用いることができ、選択した時間枠に依存する変動トレード、短期売買および長期トレードに用いることができる。また、好ましくは専門家の解説を用いることは、直前のクロスから特別の時間枠波形タイプおよび現在のバーの位置に関するライブ解説を得るかもしれない。図３８、図３９および図４１を参照。
【００７３】
アラインメントのためのクリティカルパス法
好ましくは、クリティカルパス（複数のアラインメント時間枠の合意）は、アラインメントでの５分または他の時間枠のいずれかで複数の売買信号を用いて生成することができる。結果として生じるクリティカルパスは、誤りか短期の信号を排除し、かつ強い信号を識別するために好ましくは用いることができる。
【００７４】
好ましくは、アルゴリズムは、本当か誤りの相場が強気か相場が弱気の波形を認識するためにアラインメントでの専門家の解説によって提供される履歴を用いて生成することができる。好ましくは、クリティカルパスアルゴリズムは、より長期のセットが相場が強気の信号セットアラインメントに合致したか、相場が弱気のものと一致しなかった度数を判定する過去から現在までの個々の時間枠セットおよび幾つかのセットを評価する。もし「より長い」アラインメントの優位が同じ方向であれば、例えば、相場が弱気から相場が強気まで、トレーダーは、好ましくは図４０に示されるような動向の確認について通知を受ける（当該時間枠の少なくとも１つの複数は、当該多数（当該異なる離散的な期間の）の少なくとも１パーツの複数のセットを含み、当該セットが各他の当該セットからの当該離散的な期間の異なる組み合わせを含むことを少なくともここに具体化し；当該セットのどれが相場が強気か、当該セットのどれが相場が弱気かを判定することに適した少なくとも１つのコンピュータプロセッサを少なくともここに具体化し；相場が強気の各々の当該セットおよび相場が弱気の各々の当該セットの当該少なくとも１人のトレーダーに通知することに適した少なくとも１つのコンピュータプロセッサを少なくともここに具体化し；当該１人のトレーダーによる当該意志決定を最も支援するために用いられてもよい当該通知することを少なくともここに具体化すること）。
【００７５】
好ましくは、複数の時間枠のアラインメントの新規のクロス（自然か合成の）の位置は、さらにまったく相場が強気か相場が弱気の波形、側面の市場または振れる市場のためのクリティカルパスの開発に用いることができる。明瞭な株式相場の強弱の戦いは、重大なアラインメントで相場が強気・相場が弱気の波形の流れを用いることにより好ましくは実証することができる。連続する３つのアラインメントのための解説の一例に関しては図４０を参照。好ましくは、以下のロジックは追跡することができる。
これが第１の相場が強気のクロス（第１の信号）でエントリーをとらなかったことを実証する。
第２の信号で、それはエントリタイムが１０から３０まで増加し、動向時間は６０から９０まで増加したと観測された。
「検証時間」は４５から６０まで増加した。
これは小さな相場が強気の波形がより強いより大きな波形を上へ構築している証拠であり、次の利用可能な信号を始めるインジケータが生成される。
同じ方法で、第３の信号を入力した後、それがより高いベースラインを生成する場合、それはより強い動向を立証する詳細な証拠である。同じロジックは相場が弱気の波形にも適用される。
横からの市場の間に、信号は、ばらつきか横に行く市場の危険信号を生成するために、より小さな波形からより大きな波形で前後に行き来することを構築した時間枠を備えた第１の相場が強気の信号そして次に相場が弱気の信号を、トレーダーを与えるために追跡される。当該状況が現われる場合、相場が強気か相場が弱気の波形の強度は、どれがより強い波形を生成しているか、取引のためのクリティカルパスを生成するのに最も強いものを選択するか、判定するために好ましくは追跡される。
付加的なタイプのクリティカルパスは同じロジックを用いて発展することができる。
【００７６】
現実への概念
好ましくは、下記は、Ｖ１、Ｖ２、Ｖ３およびＶ４のためにアルゴリズムを用いる基本的なインジケータである
Ｖ−４  ＦＸインジケータ  −  完全版はＶ１、Ｖ２、Ｖ３およびＶ４を用いる。
Ｖ−２  ＦＸインジケータ  −  簡略版は単にＶ１とＶ２を用いる。
【００７７】
好ましくは、上述のインジケータは以下の時間枠インジケータを生成するために用いることができる。
ＦＸ−５分買い信号／ＦＸ−５分売り信号
ＦＸ−１０分買い信号／ＦＸ−１０分売り信号
ＦＸ−１５分買い信号／ＦＸ−１５分売り信号
ＦＸ−３０分買い信号／ＦＸ−３０分売り信号
ＦＸ−４５分買い信号／ＦＸ−４５分売り信号
ＦＸ−６０分買い信号／ＦＸ−６０分売り信号
ＦＸ−デイリー買い信号／ＦＸ−デイリー売り信号
ＦＸ−ウィークリー買い信号／ＦＸ−ウィークリー売り信号
ＦＸ−マンスリー買い信号／ＦＸ−マンスリー売り信号
ＦＸ−クォータリー買い信号／ＦＸ−クォータリー売り信号
ＦＸ−イヤリー買い信号／ＦＸ−イヤリー売り信号
【００７８】
注：証券の値動き（処理）から分の任意の複式に任意の習慣時間枠も適用することができる。
【００７９】
好ましくは、下記は上述のインジケータと共に作動する、独立したインジケータである。
ＦＸ変動率インジケータ
ＦＸデイリーピボット公式
ＦＸ６０分ピボット公式
ＦＸ任意の時間枠ピボット公式
任意の時間枠のためのＦＸリアルタイム変動ピボット
【００８０】
好ましくは発展することができる付加的なインジケータ：
すべての時間枠の中で金色の棒（相場が強気）および緑青色の棒（相場が弱気）をすべて示すインジケータ
すべての時間枠内の第１の買いおよび第１の売信号に札を付けることができるインジケータ
Ｖ−２  ＦＸインジケータおよびＶ−４  ＦＸインジケータを用いて、可能な方向により、より遅いかより高いの動向、来たる連結または中休みを予測する動向で可能なリバーサルを示すインジケータ
Ｖ１−Ｖ２インジケータ
Ｖ１／Ｖ２  −  単比例（Ｖ−２）インジケータ
差分Ｖ変化率（Ｖ１およびＶ２）
クローズＶ１、クローズＶ２
ピボットＶ１、ピボットＶ１
Ｖ３−Ｖ４インジケータ
Ｖ３／Ｖ４  −  フル比率（Ｖ−４）インジケータ
差分Ｖ変化率（Ｖ２、およびＶ３）
クローズＶ３インジケータ−  −  クローズＶ４インジケータ−
ピボットＶ３およびピボットＶ４インジケータ
Ｖ１／Ｖ３  −  弱気強度インジケータ
Ｖ２／Ｖ４  −  強気強度比
【００８１】
好ましくは、アラインメントは自然なクロスおよび合成クロスを用いて、発展することができ、以下のアラインメントはエントリーあるいは出口信号のために用いることができる。
専門家の解説を用いる複数の時間枠内の金色の棒（相場が弱気）および緑青色の棒（相場が強気）のアラインメント。これらのアラインメントは、好ましくは、可能な動向リバーサルポイント、来たる動向変動、および可能な来たる強いかより弱い連結、および戻しを予測することを生成する。
任意のマーケットビークルへのよりよい入力および出口をする複数の時間枠（２以上）のアラインメント。
複数の時間枠のための解説ウィンドウの第１段階の中で生成されたアラインメントは、相場が強気か相場が弱気の波形の流れを追い詰めて、かつ有効の波形と誤りの波形を区別するクリティカルパスを生成し、組み込まれた動向を追跡しる、内面的な買いまたは売りを識別するために好ましくは用いることができ、被嚮導波理論と呼ばれてもよい。
様々な状況を好ましくは用いるＶ１、Ｖ２、Ｖ３、Ｖ４の間のアラインメントは、可能なリバーサル、来たる動向変動、連結、重大なエントリーおよび出口ポイント（エントリーと出口の複数の確認）を予測するために用いることができる。
従来のＦＸデイリーまたは他の時間枠ピボット、および買いまたは売信号整列方法Ｖ−４インジケータを備えたリアルタイムスイングバーのアラインメント。
【００８２】
可能なテンプレート
好ましくは、以下のディスプレイテンプレートは、Ｖ−２  ＦＸインジケータ、Ｖ−４  ＦＸインジケータおよび他の多くの生成を用いる容易さのために生成することができる。
すべての目標の短期のテンプレート  −  Ｖ２あるいはＶ４インジケータ（５分）のいずれかをエントリーと出口の信号に用いる５分、１０分、１５分、３０分、４５分および６０分の時間枠を用いること。これは好ましくは売買ゾーンおよびそれらのアラインメントを用いる。これはデイトレーダーヘブンまたはＦＸインジケータのいずれかと呼ばれる。このレイアウトを生成する好ましい目的は、まさに短期売買を行い、変動取引を含む１つのより長期的なトレードのための１つのエントリーとしてそれを用いることである。変動トレーダーのために、それは変動トレーダーヘブンインジケータ、短期ヘブンインジケータなどと命名されるだろう。
金色の棒テンプレート  −  このテンプレートは、Ｖ−４インジケータを備えた、従来の棒またはキャンドルチャートと共に用いられてもよい。
変動率テンプレート  −  Ｖ−４またはＶ−２のインジケータと共に独立したインジケータとしてこのテンプレートを用いる。
市場の簡略なテンプレート  −  ＦＸの長期的な方向テンプレート、ＦＸの短期の方向テンプレートおよびＦＸ信号（マスター）テンプレートを用いて、１７の主要な通貨ペアすべての概要を提供する。
ＦＸの長期的な方向テンプレートは好ましくは次のものを含んでいる：
■解説  −  好ましくは、メイン１７通貨ペアはコラムでリストされる。長期間隔の現在の動向は、緑色か赤色の矢印指示方向により表示される。長期間隔は、４８０、５４０、６００、６６０、７２０、デイリー、ウィークリーおよびマンスリー（オプション：クォータリー、イヤリー）である。
■ハイライト  −  好ましくは、値プロットは、動向に依存して、緑色か（相場が強気）または赤色の（相場が弱気）いずれかで強調される。
ＦＸの短期の方向テンプレートは好ましくは次のものを含んでいる：
■解説  −  好ましくは、メイン１７通貨ペアはコラムでリストされる。短期間隔の現在の動向は、緑色か赤色の矢印指示方向により表示される。短期間隔は６０、９０、１２０、１８０、２４０、３００、３６０、４２０分である。
■ハイライト  −  好ましくは、値プロットは、動向に依存して、緑色か（相場が強気）または赤色の（相場が弱気）のいずれかで強調される。
ＦＸ信号（マスター）テンプレートは好ましくは次のものを含んでいる：
■解説  −  好ましくは、５カラムによって１７の通貨ペアのグリッドを表示する。カラム方向は、ベースライン、動向時間、検証およびエントリーである。グリッドは、各時間間隔、および与えられる信号を識別する。トレードがペアのために存在しない場合には、これはテキストＮ／Ａのラインによって示される。好ましくは、彼らがトレードが発展するのを見たい場合、エントリー時間枠を備えたペアのチャートがモニタされることを示唆する。
■ハイライト  −  好ましくは、値プロットは、動向に依存して、緑色か（相場が強気）または赤色の（相場が弱気）のいずれかで強調される。
■シンボル  −  好ましくは、信号がある時、以下のシンボルがプロットされる：相場が強気のバウンス、相場が弱気のバウンス、相場が強気のクロスおよび相場が弱気のクロス。
■アラート  −  好ましくは、信号がある時、以下のアラートが引き金となるだろう：相場が強気のバウンス、相場が弱気のバウンス、相場が強気のクロスおよび相場が弱気のクロス。好ましくは、トレーダーは、個別基準上の４つの任意の組み合わせもばらばらにし選ぶことができる。
【００８３】
他のレイアウト
ＦＸレイアウト：全てのＦＸインジケータを備えたデイリー、ウィークリー、６０分、および１５分のチャートのレイアウト。ＦＸの長期的な方向解説は、デイリー・ウィークリーのものに好ましくは含まれ、ＦＸの短期の方向解説は６０分上に、また、ＦＸ信号エキスパートは１５分上に、また後の段階上および５分のエントリーを備えた他の時間枠が好ましくはあるだろう。
【００８４】
デイトレーダーヘブン：レイアウトは、ＦＸトレーダーインジケータにより５分、１０分、１５分、３０分、４５分および６０分で生成することができる。また、解説は、好ましくは各時間枠のために生成することができる。好ましくは、すべての新規のクロスのアラインメントが４つのすべてあるいは固定された時間枠に生じる時、グループのチャートとしてそれらを組み立てると、買いまたは売り信号を、上に記述されるような同様の方法で生成することができる。
【００８５】
ＦＸ調査：クロスおよびバウンスのためにフィルタリングし、クロスまたはバウンスを有していたペアを結果レポートに表示する。結果レポート内のディスプレイ：
カラムＡ  −  クロス（１または０）
カラムＢ  −  バウンス（１または０）
カラムＣ  −  エントリタイム（間隔）
カラムＤ  −  検証時間（間隔）
カラムＥ  −  動向時間（間隔）
カラムＦ  −  ベースライン（間隔）
【００８６】
自動化
好ましくは、買いまたは売注文は、多系交雑のアラインメントの確認で緑色のキャンドルまたは赤色のキャンドル、および売買サインを備えたＦＸトレードの組み合わせにより生成された５分のチャートに示された第１の売買信号に基づいて、リアルタイムのトレード実行とロボットをトレードするために送信することができる。さらに、好ましくは、第１の買いまたは売り信号の後に生成された任意の信号も、自動的に用いてトレードすることができる。好ましくは、取り引きするロボットにより、トレーダーは、任意の概念から、任意の理論から、任意のインジケータから生成された任意の信号も用いて、それらを混合し、それらと一致し、ロボットにトレーダーにいくつかの静止を与えさせることができる。
【００８７】
証券の値動き対時間枠
取引データ（始値、終値、高値、安値）を報告するための共通の１つの時間単位は、５分である。しかしながら、同じデータは５つの処理または５つの証券の値動きに基づいて報告されてもよい。本発明の好ましい実施例によれば、アルゴリズムおよび計算はすべて、時間（分のような）または一般に証券の値動きと呼ばれる処理の方式に基づいて、完了することができる。好ましくは、トレーダーは、どの報告する方式が用いられることになっているか指定してもよい。
【００８８】
従来のインジケータを用いること
好ましくは、確率的で、ＲＳＩなどのような従来のインジケータを用いるための必要条件などはない。しかしながら、任意の時間枠中に値変動に基づいた変動率インジケータ（ＦＸトレーダー変動率）は生成されてもよい。
【００８９】
トレーニング計画内容、処理および引渡し
本発明の好ましい実施例によれば、トレーダートレーニングカリキュラムの好ましい目的は、図４３に示されるように、訓練計画イントロダクション・スライドの一例によって提案されるような最良の可能なトレードする判定を下すツール、理解および技術をトレーダーに提供することである。好ましくは、トレーダー訓練計画は、事例解析スクリーンの表現、各代表的指標（例えばＶ−４）の根本的な計算の議論、各代表的指標および信号の有意性の表現によって生成された信号の性質の表現、および信号が示唆するトレードの判定は何で何故かを含む。好ましくは、トレーニングの範囲は、概念、方法、および以下の概念のための好ましいコンピュータ実時間解析システムで具現された信号を含む：
Ｖ−４インジケータ、
Ｖ−２インジケータ、
アラインメントおよび解説、
新規のクロスおよび合成クロス、
ドット理論、
リバーサル棒理論、
金色の棒理論、
リアルタイム変動バー理論、
ＦＸピボット理論、
変動率理論、
デイトレーダーヘブン、
変動トレーダーヘブン、
短期トレーダーヘブン、
長期トレーダーヘブン理論、（ＦＸ全目標とも呼ばれる）、
アラインメントのためのクリティカルパス法。
【００９０】
好ましくは、トレーニングは、所望された解析スクリーンおよびインジケータに設定されたイニシャルについての指示を含む。解析スクリーンをロードする方法の選択された例のステップは、図４７、図５２、図５３および図５６で示されるような解析スクリーンの表現で完結させる図４４、図４５、および図４６で提供される。さらに、図４７内の示されるように、好ましくは、Ｖ−４インジケータは、中間部分のキャンドルチャートおよび底辺での変動率表示図によりスクリーンの上方部の中で提供される（少なくとも１つの解析スクリーン１つの一例に関連した少なくとも１つの第１の説明のチャートを含む少なくとも１つの第１の補助教材の提供を少なくともここに具体化し；当該少なくとも１つの解析スクリーンは、前記コンピュータ実時間解析システムによって計算された少なくとも１つのインジケータ信号を含むことを少なくともここに具体化すること）。図５６に示されたように、解析スクリーンが現在の１つのインジケータ（この場合変動率）に調節されてもよい。この明細書の教示を読む際、当業者は、トレーニング要求、利用者選好、利用可能なデータなどとしての当該問題を考えれば、適切な状況の下で、キャンドルチャートとＶ−２を備えたＦＸピボット理論などのようなインジケータの他の組み合わせは十分かもしれないことを理解するだろう。好ましくは、トレーダーは、インジケータの各々に関連した計算の方法についての指示を提供される。様々なインジケータに用いられた計算の表現の例については、図４、図５、図６、図７および図８を参照（当該少なくとも１つのインジケータ信号の計算の少なくとも１つの方法に関連する少なくとも１つの第２の説明チャートを含む少なくとも１つの第２の補助教材を備えることを、少なくともここに具体化すること）。
【００９１】
本発明の好ましい実施例によれば、好ましい教育法は、またインジケータによって個々に組み合わせの中で識別された市場変更情報を解釈する方法の検証および記述を含んでいる図１、図２に示されるように、単一のインジケータ、Ｖ−２は、市場の変動、および変動が提案するものを識別することを用いている。図４２、図４８、図４９、図５０、図５１、図５４、図５５、図５６、図５７、図５８、図５９、図６０、図６１、図６２および図６３に示されるように、複数のインジケータは、市場変動を識別し、かつ識別された変動が何を提案するかに関して、他のインジケータに対してトレーダーが各インジケータを有効にすることを可能にするために組み合わせることができる。好ましくは、教育法は、好ましいコンピュータ実時間解析システムで具現されたインジケータの様々な市場変動シナリオおよび組み合わせを示す（当該少なくとも１つのインジケータ信号の解釈に関連する少なくとも１つの第３の説明チャートを含む少なくとも１つの第３の補助教材の提供を少なくともここに具体化すること）。
【００９２】
本発明の好ましい実施例によれば、好ましい教育法は、また１つ以上のインジケータによって識別された市場変動に基づいた取引判定ガイダンスを提供する。図１９、図２０、図２ＯＡ、図２５、図２６および図２９で示されるように、提案された行為を好ましくは提供する指示は、トレーダーおよび関連するリスクによって講じられてもよい。好ましくは、例えば、図２５および図２６に示されたように、教育法は、Ｖ−２や、市場変動、変動によって提案された行為、予定する市場方向のいくつかの表示、提案された行為および関連するリスクを識別する金色の棒などのような複数のインジケータの使用を提供する（当該少なくとも１人のトレーダーを判定するトレードを直接ガイドすることに関連する少なくとも１つの第４の説明チャートを含む少なくとも１つの第４の補助教材を提供することを、少なくともここに具体化し；当該少なくとも第１の補助教材、当該少なくとも１つの第２の補助教材、当該少なくとも１つの第３の補助教材、および当該少なくとも１つの第４の補助教材を用いる少なくとも１人のトレーダーのトレードする判定に当該直接ガイドすることに関連する少なくとも１人のトレーダーの指示を提供することを少なくともここに具体化すること）。
【００９３】
さらに、本発明の好ましい実施例によれば、例の各々を包含するカリキュラムおよび個々の好ましいコンピュータ実時間解析システムで具現された概念の準備をされた説明は、インターネットに基づく（オンライン）セッションおよび少なくとも１つのタイプの分配できるメディア上で以下の教育フォーマットを提供したオフラインセッションとして、好ましくは教室に基づいたセッションでの使用を調製される。
ワークショップ、
セミナー、
教本、
基本概念、
進歩した概念、
対話型実践本。
【００９４】
さらに、本発明の好ましい実施例によれば、次のためのライブ教室に基づいたセッションおよびインターネットに基づいたセッションを好ましくは行なう。
少なくとも１つのワークショップ、
少なくとも１つのセミナー、
少なくとも１つの教本、
少なくとも１つの対話型の実践訓練、
少なくとも１つの基本概念セッション、
少なくとも１つの進歩した概念セッション。
【００９５】
好ましくは、少なくとも１つの教育フォーマットの少なくとも１つのセッションは、少なくとも１つの記録されたトレーニングセッションとして、インターネットを通じて、または分配できるメディア上で、配布のために記録されるだろう。
【００９６】
概要
Ｖ−２インジケータおよびＶ−４インジケータ、ドット、金色の棒およびクリティカルパスの主要な概念には、任意の売買可能な証券を取り引きする容易さおよび精度の改善が好適である。好ましくは、トレーダーは、チャートとインジケータを評価する時間を節約し、混乱を回避し、より有望な結果を生成することができる。出願人は出願人の本発明の好ましい実施例を記述したが、本発明の最も広い範囲が多様な形状、サイズおよび材料などのような変形を含むことが理解されるだろう。当該範囲は、上述の明細書に関して読まれるような請求項の下によってのみ限定される。さらに、出願人の発明の他の多くの利点が、上述の記述および下記の請求項からの当業者に明らかになる。
【図面の簡単な説明】
【００９７】
【図１】本発明の好ましい実施例によるＶ−２インジケータディスプレイの概念の図を示す。
【図２】本発明の好ましい実施例による、Ｖ１およびＶ２に対する値の図を備えたＶ−２インジケータディスプレイの一例を示す。
【図３】本発明の好ましい実施例による従来のキャンドルチャートに関連したＶ−２インジケータディスプレイの使用例を示す。
【図４】本発明の好ましい実施例による、状況を変更する際のＶ１とＶ２の特性の図を示す。
【図５】本発明の好ましい実施例による新規のクロスで、相場が弱気の波形から相場が強気の波形への移行のＶ１とＶ２の関係を示す。
【図６】本発明の好ましい実施例による新規のクロスで、相場が強気の波形から相場が弱気の波形への移行のＶ１とＶ２の関係を示す。
【図７】本発明の好ましい実施例による新規のクロスで、相場が弱気の波形から相場が強気の波形への移行前のＶ１とＶ２の関係を示す。
【図８】本発明の好ましい実施例による新規のクロスで、相場が強気の波形から相場が弱気の波形への移行前のＶ１とＶ２の関係を示す。
【図９】本発明の好ましい実施例による、Ｖ１、Ｖ２、Ｖ３およびＶ４に対する値の図を備えたＶ−４インジケータディスプレイの一例を示す。
【図１０】本発明の好ましい実施例による、Ｖ１、Ｖ２、Ｖ３およびＶ４に対する値の図を備えたＶ−４インジケータディスプレイの一例を示す。
【図１１】本発明の好ましい実施例による新規のクロスで、相場が弱気の波形から相場が強気の波形への移行のＶ３とＶ４の関係を示す。
【図１２】本発明の好ましい実施例による新規のクロスで、相場が強気の波形から相場が弱気の波形への移行のＶ３とＶ４の関係を示す。
【図１３】本発明の好ましい実施例による新規のクロスで、相場が弱気の波形から相場が強気の波形への移行前のＶ３とＶ４の関係を示す。
【図１４】本発明の好ましい実施例による新規のクロスで、相場が強気の波形から相場が弱気の波形への移行前のＶ３とＶ４の関係を示す。
【図１５】本発明の好ましい実施例による、Ｖ１、Ｖ２、Ｖ３およびＶ４のいくつかの基準および変動率を図示する表を示す。
【図１６】本発明の好ましい実施例によるインタージェクション技術の使用を図示するディスプレイを示す。
【図１７】本発明の好ましい実施例による、従来のキャンドルチャート上のＶ−４インジケータから生成されたシンボルの使用を図示するディスプレイを示す。
【図１７Ａ】本発明の好ましい実施例による新規のクロスからのアラインメントおよび状況の履歴の概念を図示する表を示す
【図１８】本発明の好ましい実施例による従来のキャンドルチャート上のＶ−４インジケータおよびアラインメント領域のディスプレイを示す。
【図１９】本発明の好ましい実施例による、相場が弱気のアラインメントの複数の早期警報および関連する専門家の解説を備えた従来のキャンドルチャート上のＶ−４インジケータおよびアラインメント領域のディスプレイを示す。
【図２０】本発明の好ましい実施例による、相場が強気のアラインメントの複数の早期警報および関連する専門家の解説を備えた従来のキャンドルチャート上のＶ−４インジケータおよびアラインメント領域のディスプレイを示す。
【図２０Ａ】本発明の好ましい実施例による、多くの時間枠および関連する専門家の解説のためのクロスの位置を備えた従来のキャンドルチャート上のＶ−４インジケータおよびアラインメント領域のディスプレイを示す。
【図２１】本発明の好ましい実施例による、従来のキャンドルチャートに適用された複数の時間枠アラインメントおよび関連するシンボルを図示するディスプレイを示す。
【図２２】本発明の好ましい実施例による、従来のバーチャートに適用された複数の時間枠アラインメントおよび関連するシンボルを図示するディスプレイを示す。
【図２３】本発明の好ましい実施例による、専門家の解説を備えた従来のバーチャートに適用された複数の時間枠アラインメントおよび関連するシンボルを図示するディスプレイを示す。
【図２４】本発明の好ましい実施例による、複数の時間枠アラインメントおよび生成された専門家の解説を図示するディスプレイを示す。
【図２５】本発明の好ましい実施例による、売信号およびアラインメントのユニークな選択を図示するディスプレイを示す
【図２６】本発明の好ましい実施例による、買信号およびアラインメントのユニークな選択を図示するディスプレイを示す。
【図２６Ａ】本発明の好ましい実施例による、選択された時間枠で通貨ペアの生成されたシンボルの市場の簡略なプレゼンテーションを図示するディスプレイを示す。
【図２７】本発明の好ましい実施例による、Ｖ１とＶ２のプロットラインに関してのＶ３とＶ４のドットに関する理論を図示するディスプレイを示す。
【図２８】本発明の好ましい実施例による、Ｖ１とＶ２のプロットラインに関してのＶ３とＶ４のドットに関する理論、および他のアプリケーションを備えたその使用を図示するディスプレイを示す。
【図２９】本発明の好ましい実施例による、Ｖ−２プロットに関連して金色の棒に関する理論を図示するディスプレイを示す。
【図３０】本発明の好ましい実施例による、Ｖ−２プロットに関連して金色の棒に関する理論を図示するディスプレイを示す。
【図３１】本発明の好ましい実施例による、Ｖ−２インジケータに関連して金色の棒に関する理論の使用によって提供されるインジケータを図示するディスプレイを示す。
【図３２】本発明の好ましい実施例による、Ｖ−２インジケータに関連して金色の棒に関する理論の使用によって提供されるインジケータを図示するディスプレイを示す。
【図３２Ａ】本発明の好ましい実施例による、Ｖ−２インジケータに関連して脱調棒インジケータの使用を図示するディスプレイを示す。
【図３２Ｂ】本発明の好ましい実施例による、Ｖ−４インジケータに関連してピボット理論インジケータの使用を図示するディスプレイを示す。
【図３３】本発明の好ましい実施例による、Ｖ−４インジケータに関連してピボット理論インジケータの使用を図示するディスプレイを示す。
【図３４】本発明の好ましい実施例による、選択された通貨ペアのためのＦＸ変動率理論を図示するチャートを示す。
【図３５】本発明の好ましい実施例による、ＦＸ変動率理論を図示するディスプレイを示す。
【図３６】本発明の好ましい実施例による、アラインメントを備えたＶ−４インジケータに関連してＦＸ変動率理論を図示するディスプレイを示す。
【図３７】本発明の好ましい実施例による、Ｖ−２インジケータに関連してＦＸ変動率理論を図示するディスプレイを示す。
【図３８】本発明の好ましい実施例による、デイトレーダーヘブンまたはＦＸの全標的説を図示するディスプレイを示す。
【図３９】本発明の好ましい実施例による、デイトレーダーヘブンを図示するディスプレイ、または３つの異なる時間枠を備えたＦＸ全標的説ディスプレイを示す。
【図４０】本発明の好ましい実施例による、連続した３つのアラインメントのために生成された専門家の解説を図示する表を示す。
【図４１】本発明の好ましい実施例による、同時に提供された複数のチャートの一例を示す。
【図４２】図４２は、本発明の好ましい実施例による、キャンドルチャート上の金色と緑青色棒の使用の一例を示す。
【図４３】本発明の好ましい実施例による、トレーダートレーニングのための初期のプレゼンテーションスクリーンの一例を示す。
【図４４】本発明の好ましい実施例による、MetaStock（登録商標）などのようなチャーティングシステム内の好ましいコンピュータ実時間解析システムをスタートさせるための初期のセットアップスクリーンの一例を示す。
【図４５】本発明の好ましい実施例による、MetaStock（登録商標）などのようなチャーティングシステム内の好ましいコンピュータ実時間解析システムを備えた使用のために市場を選ぶためにセットアップスクリーンの一例を示す。
【図４６】本発明の好ましい実施例による、MetaStock（登録商標）などのようなチャーティングシステム内の好ましいコンピュータ実時間解析システムによる解析のために通貨ペアを選ぶためのセットアップスクリーンの一例を示す。
【図４７】本発明の好ましい実施例による、好ましいコンピュータ実時間解析システムによって提供されるＦＸインジケータ、従来のキャンドルチャート、および変動率インジケータを提供する解析スクリーンの一例を示す。
【図４８】本発明の好ましい実施例による、好ましいコンピュータ実時間解析システムによって提供されるＦＸインジケータ、従来のキャンドルチャート、および変動率インジケータを用いる場合に、市場変動インジケータを実証する第１の解析スクリーンの一例を示す。
【図４９】本発明の好ましい実施例による、好ましいコンピュータ実時間解析システムによって提供されるＦＸインジケータ、従来のキャンドルチャート、および変動率インジケータを用いる場合に、市場変動インジケータを実証する第２の解析スクリーンの一例を示す。
【図５０】本発明の好ましい実施例による、好ましいコンピュータ実時間解析システムによって提供されるＦＸインジケータ、従来のキャンドルチャート、および変動率インジケータを用いる場合に、市場変動インジケータを実証する第３の解析スクリーンの一例を示す。
【図５１】本発明の好ましい実施例による、好ましいコンピュータ実時間解析システムによって提供される従来のキャンドルチャートおよびアラインメントおよび解説を上に重ねたＶ−２インジケータを用いる場合の、市場変動インジケータを実証する解析スクリーンの一例に示す。
【図５２】本発明の好ましい実施例による、好ましいコンピュータ実時間解析システムによって提供されるＦＸインジケータ、金色の棒を備えた従来のキャンドルチャート、および変動率インジケータを用いる場合の、市場変動インジケータを実証する解析スクリーンの一例を示す。
【図５３】本発明の好ましい実施例による、好ましいコンピュータ実時間解析システムによって提供されるＦＸインジケータ、金色の棒を備えた従来のキャンドルチャート、および変動率インジケータを用いる場合の、市場変動インジケータを実証する解析スクリーンの拡大図の一例を示す。
【図５４】本発明の好ましい実施例による、好ましいコンピュータ実時間解析システムによって提供される金色の棒を備えた従来のキャンドルチャートを用いる場合の、市場変動インジケータを実証する解析スクリーンの一例を示す。
【図５５】本発明の好ましい実施例による、好ましいコンピュータ実時間解析システムによって提供されるＦＸインジケータ棒を用いる場合の、市場変動インジケータを実証する解析スクリーンの拡大図の一例を示す。
【図５６】本発明の好ましい実施例による、好ましいコンピュータ実時間解析システムによって提供される使用する変動率インジケータを用いる場合の、市場変動インジケータを実証する解析スクリーンの拡大図の一例を示す。
【図５７】本発明の好ましい実施例による、好ましいコンピュータ実時間解析システムによって提供される従来のキャンドルチャートを上に重ねたＶ−２インジケータを用いる場合の、市場変動インジケータを実証する解析スクリーンの拡大図の一例を示す。
【図５８】本発明の好ましい実施例による、好ましいコンピュータ実時間解析システムによって提供される金色の棒インジケータを備えた従来のキャンドルチャートに重ねられた使用するＶ−２インジケータを用いる場合の、市場変動インジケータを実証する解析スクリーンの一例を示す。
【図５９】本発明の好ましい実施例による、好ましいコンピュータ実時間解析システムによって提供される金色の棒インジケータを備えた従来のキャンドルチャートに重ねられた使用するデイリーピボットインジケータおよびＶ−２インジケータを用いる場合の、市場変動インジケータを実証する解析スクリーンの一例を示す。
【図６０】本発明の好ましい実施例による、好ましいコンピュータ実時間解析システムによって提供される金色の棒インジケータを備えた従来のキャンドルチャートに重ねられた使用する６０分のピボットインジケータおよびＶ−２インジケータを用いる場合の、市場変動インジケータを実証する解析スクリーンの一例を示す。
【図６１】本発明の好ましい実施例による、好ましいコンピュータ実時間解析システムによって提供される、売りの判定アラインメントを提案するＦＸインジケータ、従来のキャンドルチャート、および変動率インジケータを用いる場合の、市場変動インジケータを実証する第４の解析スクリーンの一例を示す。
【図６２】本発明の好ましい実施例による、好ましいコンピュータ実時間解析システムによって提供される、売りの判定アラインメントおよび天然で合成のクロスを提案するＦＸインジケータ、従来のキャンドルチャート、および変動率インジケータを用いる場合の、市場変動インジケータを実証する第５の解析スクリーンの一例を示す。
【図６３】本発明の好ましい実施例による、好ましいコンピュータ実時間解析システムによって提供されるＦＸインジケータ、従来のキャンドルチャート、および変動率インジケータおよびデイトレーダーヘブンインジケータを用いる場合の、市場変動インジケータを実証するＦＸ全目標スクリーンの一例を示す。
【図１】
2009509247.tif 000003
【図２】
2009509247.tif 000004
【図３】
2009509247.tif 000005
【図４】
2009509247.tif 000006
【図５】
2009509247.tif 000007
【図６】
2009509247.tif 000008
【図７】
2009509247.tif 000009
【図８】
2009509247.tif 000010
【図９】
2009509247.tif 000011
【図１０】
2009509247.tif 000012
【図１１】
2009509247.tif 000013
【図１２】
2009509247.tif 000014
【図１３】
2009509247.tif 000015
【図１４】
2009509247.tif 000016
【図１５】
2009509247.tif 000017
【図１６】
2009509247.tif 000018
【図１７】
2009509247.tif 000019
【図１７Ａ】
2009509247.tif 000020
【図１８】
2009509247.tif 000021
【図１９】
2009509247.tif 000022
【図２０】
2009509247.tif 000023
【図２０Ａ】
2009509247.tif 000024
【図２１】
2009509247.tif 000025
【図２２】
2009509247.tif 000026
【図２３】
2009509247.tif 000027
【図２４】
2009509247.tif 000028
【図２５】
2009509247.tif 000029
【図２６】
2009509247.tif 000030
【図２６Ａ】
2009509247.tif 000031
【図２７】
2009509247.tif 000032
【図２８】
2009509247.tif 000033
【図２９】
2009509247.tif 000034
【図３０】
2009509247.tif 000035
【図３１】
2009509247.tif 000036
【図３２】
2009509247.tif 000037
【図３２Ａ】
2009509247.tif 000038
【図３２Ｂ】
2009509247.tif 000039
【図３３】
2009509247.tif 000040
【図３４】
2009509247.tif 000041
【図３５】
2009509247.tif 000042
【図３６】
2009509247.tif 000043
【図３７】
2009509247.tif 000044
【図３８】
2009509247.tif 000045
【図３９】
2009509247.tif 000046
【図４０】
2009509247.tif 000047
【図４１】
2009509247.tif 000048
【図４２】
2009509247.tif 000049
【図４３】
2009509247.tif 000050
【図４４】
2009509247.tif 000051
【図４５】
2009509247.tif 000052
【図４６】
2009509247.tif 000053
【図４７】
2009509247.tif 000054
【図４８】
2009509247.tif 000055
【図４９】
2009509247.tif 000056
【図５０】
2009509247.tif 000057
【図５１】
2009509247.tif 000058
【図５２】
2009509247.tif 000059
【図５３】
2009509247.tif 000060
【図５４】
2009509247.tif 000061
【図５５】
2009509247.tif 000062
【図５６】
2009509247.tif 000063
【図５７】
2009509247.tif 000064
【図５８】
2009509247.tif 000065
【図５９】
2009509247.tif 000066
【図６０】
2009509247.tif 000067
【図６１】
2009509247.tif 000068
【図６２】
2009509247.tif 000069
【図６３】
2009509247.tif 000070
【国際調査報告】
2009509247.tif 000071